(57)【要約】  特定の実施形態によれば、無線デバイス（２１０、３００）によるリソース感知のための方法が提供される。この方法は、ネットワークノード（２１５）から第１のリソースプールに関連したリソースの指示を取得することを含む。第１のリソースプールは別のデバイスとの例外通信用である。ネットワークノードからのシグナリングに関連した起動イベントが識別される。起動イベントに基づいて、この別のデバイスとの例外通信の必要性が判定される。第１のリソースプールから少なくとも１つのリソースが選択され、第１のリソースプールから選択された少なくとも１つのリソースを使用してメッセージが送信される。【選択図】図７
2019531006.tif 000002
【特許請求の範囲】
【請求項１】
無線デバイス（２１０、３００）によるリソース感知のための方法（４００）であって、
ネットワークノード（２１５）から、別のデバイスとの例外通信用の第１のリソースプールに関連したリソースの指示を取得することと、
前記無線デバイス（２１０、３００）によって、前記ネットワークノード（２１５）からのシグナリングに関連した起動イベントを識別することと、
前記無線デバイス（２１０、３００）によって、前記起動イベントに基づき、前記別のデバイスとの前記例外通信の必要性を判定することと、
前記無線デバイス（２１０、３００）によって、前記第１のリソースプールから少なくとも１つのリソースを選択することと、
前記無線デバイス（２１０、３００）によって、前記第１のリソースプールから選択された前記少なくとも１つのリソースを使用して、メッセージを送信することとを備える方法。
【請求項２】
前記ネットワークノード（２１５）から、前記別のデバイスとの通常通信用の第２のリソースプールに関連したリソースの指示を取得することと、
前記起動イベントを識別するのに先立って、前記別のデバイスとの通常通信中に、前記第２のリソースプールから少なくとも１つのリソースを選択することと、
前記起動イベントに基づき、前記リソースの選択に前記第１のリソースプールを使用し始めるために前記第２のリソースプールの使用を停止することとをさらに備える、請求項１に記載の方法（４００）。
【請求項３】
前記第１のリソースプールが、前記第１のリソースプールにおける第２の複数のリソースのサブセットである第１の複数のリソースを備える、請求項２に記載の方法（４００）。
【請求項４】
前記起動イベントを識別することが、前記第１のリソースプールが前記第２のリソースプールよりも優れた参照信号受信電力（ＲＳＲＰ）を有すると判定することを備える、請求項２に記載の方法（４００）。
【請求項５】
前記起動イベントを識別することが、前記第１のリソースプールが前記第２のリソースプールほど輻輳していないと判定することを備える、請求項２に記載の方法（４００）。
【請求項６】
前記起動イベントに応答して、前記第１のリソースプールおよび前記第２のリソースプールのうち少なくとも１つにおけるリソースを感知することをさらに備え、
前記リソースを感知することが完了していれば、前記リソースを感知することに基づいて少なくとも１つのリソースが選択され、
前記リソースを感知することが未完または不成功であれば、前記少なくとも１つのリソースが前記第１のリソースプールから無作為に選択される、請求項２に記載の方法（４００）。
【請求項７】
タイマの満了まで、前記第１のリソースプールからリソースを無作為に選択し続けることをさらに備える、請求項６に記載の方法（４００）。
【請求項８】
前記ネットワークノード（２１５）から、ｅＮｏｄｅＢによってスケジューリングされたリソース設定メッセージを受信することをさらに備え、
前記第１のリソースプールおよび前記第２のリソースプールのうち少なくとも１つの前記リソースが、前記ｅＮｏｄｅＢによってスケジューリングされたリソース設定メッセージに応答して感知される、請求項６に記載の方法（４００）。
【請求項９】
前記起動イベントを識別することが、前記通信セッションにおける変化を検知することを備える、請求項１から８のいずれか一項に記載の方法（４００）。
【請求項１０】
前記起動イベントが、前記第１のネットワークノード（２１５）から第２のネットワークノード（２１５ａ）への前記無線デバイス（２１０、３００）のハンドオーバを含む、請求項１から９のいずれか一項に記載の方法（４００）。
【請求項１１】
前記第１のリソースプールに関連した前記リソースの前記指示がシステム情報ブロックを介して取得される、請求項１から１０のいずれか一項に記載の方法（４００）。
【請求項１２】
前記第１のリソースプールに関連した前記リソースの前記指示が専用シグナリングを介して取得される、請求項１から１０のいずれか一項に記載の方法。
【請求項１３】
リソース感知用に設定された無線デバイス（２１０、３００）であって、
命令を備える非一時的コンピュータ可読媒体（３３０）と、
処理回路（３１５）であって、前記命令を実行して、前記無線デバイス（２１０、３００）に、
ネットワークノード（２１５）から、別のデバイスとの例外通信用の第１のリソースプールに関連したリソースの指示を取得することと、
前記ネットワークノード（２１５）からシグナリングに関連した起動イベントを識別することと、
前記起動イベントに基づいて、前記別のデバイスとの前記例外通信の必要性を判定することと、
前記第１のリソースプールから少なくとも１つのリソースを選択することと、
前記第１のリソースプールから選択された前記少なくとも１つのリソースを使用してメッセージを送信することとをさせるように設定された処理回路（３１５）とを備える無線デバイス（２１０、３００）。
【請求項１４】
前記処理回路（３１５）が、
前記ネットワークノード（２１５）から、前記別のデバイスとの通常通信用の第２のリソースプールに関連したリソースの指示を取得し、
前記起動イベントを識別するのに先立って、前記別のデバイスとの通常通信中に、前記第２のリソースプールから少なくとも１つのリソースを選択し、
前記起動イベントに基づき、前記リソースの選択に前記第１のリソースプールを使用し始めるために前記第２のリソースプールの使用を停止するようにさらに設定されている、請求項１３に記載の無線デバイス（２１０、３００）。
【請求項１５】
前記第１のリソースプールが、前記第１のリソースプールにおける第２の複数のリソースのサブセットである複数のリソースを備える、請求項１４に記載の無線デバイス（２１０、３００）。
【請求項１６】
前記処理回路が、前記起動イベントを識別するとき、前記第１のリソースプールが前記第２のリソースプールよりも優れた参照信号受信電力（ＲＳＲＰ）を有すると判定するようにさらに設定されている、請求項１４に記載の無線デバイス（２１０、３００）。
【請求項１７】
前記処理回路が、前記起動イベントを識別するとき、前記第１のリソースプールが前記第２のリソースプールほど輻輳していないと判定するようにさらに設定されている、請求項１４に記載の無線デバイス（２１０、３００）。
【請求項１８】
前記処理回路（３１５）が、
前記起動イベントに応答して、前記第１のリソースプールおよび前記第２のリソースプールのうち少なくとも１つにおけるリソースを感知することであって、
前記リソースの感知が完了していれば、前記リソースを感知することに基づいて少なくとも１つのリソースが選択され、
前記リソースを感知することが未完または不成功であれば、前記少なくとも１つのリソースが前記第１のリソースプールから無作為に選択される、感知することを行うようにさらに設定されている、請求項１４に記載の無線デバイス（２１０、３００）。
【請求項１９】
前記処理回路（３１５）が、タイマの満了まで、前記第１のリソースプールからリソースを無作為に選択し続けるようにさらに設定されている、請求項１８に記載の無線デバイス（２１０、３００）。
【請求項２０】
前記処理回路（３１５）が、
前記ネットワークノード（２１５）から、ｅＮｏｄｅＢによってスケジューリングされたリソース設定メッセージを受信することであって、
前記第１のリソースプールおよび前記第２のリソースプールのうち少なくとも１つの前記リソースが、前記ｅＮｏｄｅＢによってスケジューリングされたリソース設定メッセージに応答して感知される、受信することを行うようにさらに設定されている、請求項１８に記載の無線デバイス（２１０、３００）。
【請求項２１】
前記処理回路（３１５）が、前記起動イベントを識別するとき、前記通信セッションにおける変化を検知するようにさらに設定されている、請求項１３から２０のいずれか一項に記載の無線デバイス（２１０、３００）。
【請求項２２】
前記起動イベントが、前記第１のネットワークノード（２１５）から第２のネットワークノード（２１５ａ）への前記無線デバイス（２１０、３００）のハンドオーバを含む、請求項１３から２１のいずれか一項に記載の無線デバイス（２１０、３００）。
【請求項２３】
前記第１のリソースプールに関連した前記リソースの前記指示がシステム情報ブロックを介して取得される、請求項１３から２２のいずれか一項に記載の無線デバイス（２１０、３００）。
【請求項２４】
前記第１のリソースプールに関連した前記リソースの前記指示が専用シグナリングを介して取得される、請求項１３から２２のいずれか一項に記載の無線デバイス（２１０、３００）。
【発明の詳細な説明】
【技術分野】
【０００１】
優先権
この出願は、２０１６年８月９日出願の「Ｒｅｓｏｕｒｃｅ  Ｓｅｎｓｉｎｇ  Ｐｒｏｃｅｄｕｒｅｓ  ｆｏｒ  Ｓｉｄｅｌｉｎｋ  Ｏｐｅｒａｔｉｏｎ」という名称のＰＣＴ／ＣＮ２０１６／０９４２０９の優先権を主張するものであり、この開示は参照によってここで組み込まれる。
【０００２】
本開示は、一般に無線通信に関し、より詳細にはサイドリンク動作用のリソース感知のためのシステムおよび方法に関する。
【背景技術】
【０００３】
ＬＴＥ規格は、リリース１２において、商用用途と公的安全用途の両方を対象とするデバイスからデバイス（Ｄ２Ｄ）（「サイドリンク」として規定されている）機能をサポートするように拡張された。Ｒｅｌ−１２のＬＴＥによって可能になったいくつかの用途にはデバイス発見が含まれる。デバイス発見により、無線デバイスは、デバイスおよびアプリケーションのアイデンティティを担持する発見メッセージをブロードキャストしたり検知したりすることにより、別のデバイスおよび関連するアプリケーションの近接性を感知することができる。別の用途は、デバイス間で直接確立された物理チャネルに基づく直接通信から成る。３ＧＰＰでは、これらのアプリケーションはすべて近傍サービス（ＰｒｏＳｅ）の傘下で規定されている。
【０００４】
ＰｒｏＳｅ構造の可能な拡張の１つはＶ２ｘ通信をサポートすることから成り、これは車両と歩行者およびインフラストラクチュアとの間の直接通信の任意の組合せを含むものである。図１にはＶ２Ｘ通信の例示のタイプが図解されている。アプリケーションの観点から見ると、Ｖ２Ｘは、少なくとも、車両対車両（Ｖ２Ｖ）、車両対インフラストラクチュア（Ｖ２Ｉ）、車両対歩行者（Ｖ２Ｐ）、および車両対ネットワーク（Ｖ２Ｎ）といったタイプの通信／サービスを含む。
【０００５】
Ｖ２Ｖは、Ｖ２Ｖアプリケーションを使用する車両間の通信をカバーし、主としてブロードキャストに基づくものである。Ｖ２Ｖは、それぞれの車両のデバイス間の直接通信によって、またはセルラーネットワークなどのインフラストラクチュアを介して、実現され得る。Ｖ２Ｖの一例には、車両の状態情報（位置、方向および速度など）を伴う協調認識メッセージ（ＣＡＭ）の送信があり、これは、近くにある他の車両に対して周期的に繰り返し送信されてよい。たとえば、ＣＡＭは、１００ミリ秒〜１秒ごとに送信されてよい。別の例には分散環境の通知メッセージ（ＤＥＮＭ）の送信があり、これは車両に警報を出すイベン起動のメッセージである。これら２つの例は、Ｖ２ＸアプリケーションのＥＴＳＩ高度道路交通システム（ＩＴＳ）仕様から採用されたものであり、これは、メッセージが発生される条件も規定している。Ｖ２Ｖアプリケーションの主な特徴は、衝突前警告メッセージの２０ミリ秒から他の路上安全サービスの１００ミリ秒まで変化し得る、レイテンシについての厳格な要件にある。
【０００６】
Ｖ２Ｉは車両と路側ユニット（ＲＳＵ）の間の通信を含む。ＲＳＵは、近辺の車両と通信する、静止した交通インフラストラクチュアエンティティである。Ｖ２Ｉの一例にはＲＳＵから車両への速度通知の送信がある。他の例には、キュー情報、衝突リスク警報、およびカーブ速度警告の送信が含まれる。Ｖ２Ｉの、安全に関係のある性質のために、Ｖ２Ｉの遅延の要件はＶ２Ｖの要件に類似である。
【０００７】
Ｖ２Ｐは、Ｖ２Ｐアプリケーションを使用する、車両と歩行者などの脆弱な道路使用者の間の通信を含む。Ｖ２Ｐは、一般的には、別個の車両と歩行者の間で、直接的に、またはセルラーネットワークなどのインフラストラクチュアを介して起こる。
【０００８】
Ｖ２Ｎは、車両と集中型アプリケーションサーバまたはＩＴＳ交通管理センタの間の通信を含む。そのような通信は、セルラーネットワークなどのインフラストラクチュアを介して、Ｖ２Ｎアプリケーションを使用し得る。一例には、広域におけるすべての車両に送られる、悪い道路状況の警告がある。別の例には、Ｖ２Ｎアプリケーションが車両に速度を示唆したり交通信号灯を調整したりする、交通流の最適化がある。したがって、Ｖ２Ｎメッセージは、たとえば交通管理センタなどの集中型エンティティによって制御されてよく、小さな領域ではなく大きな地理的領域における車両に供給され得る。加えて、Ｖ２Ｎは、Ｖ２Ｖ／Ｖ２Ｉとは異なって非安全目的に使用されるように意図されているので、Ｖ２Ｎのレイテンシ要件はより緩和されている。たとえば、Ｖ２Ｎについては、一般的には１秒のレイテンシ要件が考えられる。
【０００９】
Ｖ２ｘ通信は、利用可能であればネットワークインフラストラクチャを利用してよい。しかしながら、ネットワークカバレッジがない場所でも、少なくとも基本的なＶ２ｘ接続は可能であるべきである。ＬＴＥベースのＶ２ｘインターフェースを用意することは、ＬＴＥの規模が経済的なので経済的に有利であり得る。加えて、Ｖ２Ｘインターフェースは、専用のＶ２ｘ技術を使用するのと比較して、車両対インフラストラクチュア（Ｖ２Ｉ）、車両対歩行者（Ｖ２Ｐ）、および車両対車両（Ｖ２Ｖ）の通信のためのより緊密な集積化を可能にし得る。様々な国々または地域において、既存の携帯電話インフラストラクチュアを使用することに基づくプロジェクトを含めて、接続された車両の多くの研究プロジェクトおよび実地試験がある。
【００１０】
Ｖ２ｘ通信は非安全情報と安全情報の両方を搬送してよく、アプリケーションおよびサービスの各々が特定の要件の組に関連づけられてよい。そのような要件の組は、たとえば、レイテンシ、信頼性、容量、または他の適切な要件に関するものでよい。
【００１１】
Ｄ２ＤまたはＰｒｏＳｅとしても知られているサイドリンク送信は、セルのスペクトルにおけるいわゆるＰＣ５インターフェースを通じて通信される。サイドリンク送信は、３ＧＰＰにおいてリリース１２から規格化された。具体的には、３ＧＰＰのリリース１２において２つの異なる操作モードが規定されている。１つのモード（モード１）では、ＲＲＣ＿ＣＯＮＮＥＣＴＥＤモードの無線デバイスがＤ２Ｄリソースを要求し、ｅＮＢによって、ＰＤＣＣＨ（ＤＣＩ５）または専用のシグナリングを介して容認される。別のモード（モード２）では、無線デバイスは、ｅＮＢがＰＣｅｌｌ以外のキャリア上の送信のためのＳＩＢシグナリングまたはＰＣｅｌｌ上の送信のための専用シグナリングを介してブロードキャストで提供する利用可能なリソースのプールから、送信用のリソースを自律的に選択する。したがって、第２の動作モードは、第１の動作モードと異なって、ＲＲＣ＿ＩＤＬＥにおける無線デバイスによっても遂行され得る。
【００１２】
サイドリンクの使用法は、リリース１４ではＶ２ｘの分野まで拡大されている。リリース１２におけるサイドリンク物理層の設計は、ＭＣＰＴＴトラフィック向けの音声パケットを低移動度で搬送するためにスペクトルにおいて同一の物理リソースを求めて競合する少数の無線デバイスを想定することによって規定されている。他方では、Ｖ２ｘでは、サイドリンクは、より高い負荷のシナリオに対処することができるべきである。たとえば、何百台もの自動車が物理リソースを求めて争うことが、可能性としてあり得る。Ｖ２Ｘでは、サイドリンクは、時間起動／イベント起動のＶ２ｘメッセージ（ＣＡＭ、ＤＮＥＭ）を搬送して、高移動度をもたらす。そのような理由で、３ＧＰＰは、サイドリンク物理層に対する可能な拡張機能について論じている。
【００１３】
そのような拡張機能の１つにはチャネル感知の導入がある。Ｖ２Ｖにおけるリリース１２およびリリース１３のＰｒｏＳｅ通信の基礎である無作為のリソース選択と異なり、無線デバイスは、チャネルを連続的に感知して、障害の少ない、スペクトルの異なる部分におけるリソースを探索する。そのような感知の目的は、無線デバイス間の衝突を制限することにある。
【００１４】
３ＧＰＰでは２つのタイプの感知が考えられている。第１のタイプは受信電力に基づく感知である。具体的には、無線デバイスは、特定の無線リソース上で受信されるエネルギーを測定する。無線デバイスは、これらの測定に基づいて、無線リソースが他のいくつかの無線デバイスによって使用されている（すなわち「ビジー」である）か否（すなわち「アイドル」である）か判断してよい。別の例として、無線デバイスは、測定を使用して、送信器が遠く離れているか近くにあるか推定してよい。たとえば、信号が弱ければ送信器は遠く、信号が強ければ送信器は近くにあり得る。
【００１５】
第２のタイプの感知はパケット内容に基づくものである。無線デバイスは、このタイプの感知を使用し、パケットを受信して復号する。パケットから抽出された情報に基づいて、無線デバイスは、無線リソースの利用に関するいくつかの知見を得てよく、たとえば、無線デバイスは、スケジューリング割り当て（ＳＡ）パケットを読み取ることにより、またはサイドリンク制御情報（ＳＣＩ）を受信することにより、どの無線リソースでデータ送信が予期されるか、また送信器の優先順位はどうなっているか、知ることができる。別の例として、無線デバイスは、データパケットを読み取ることにより、送信器の位置、送信器のＩＤ、送信器のタイプ、または送信器に関する何らかの他の情報を知ることができる。
【００１６】
サイドリンクリソースを使用している無線デバイスについては、無線デバイスの移動性がサポートされ得る。そのような無線デバイスがハンドオーバされるとき、無線デバイスがそのサービングセルによって設定されたサイドリンクリソースは、ソースｅＮＢによってその「ＲＲＣコンテキスト」に含むことができ、Ｘ２  ＨＡＮＤＯＶＥＲ  ＲＥＱＵＥＳＴメッセージでターゲットｅＮＢに信号伝達されてよい。ＲＲＣコンテキストは３ＧＰＰ  ＴＳ  ３６．４２３およびＴＳ  ３６．３３１によってＲＲＣコンテキストＩＥとして規定され得る。ターゲットセルが無線デバイスに無線リソースの同一の組を割り当てることができる場合、無線デバイスはＰＣ５接続を失うことが防止され得、それによって、ハンドオーバのために、サイドリンクサービスの中断が、あったとしても最小化される。
【００１７】
ＰｒｏＳｅプロトコルは、無線リンク障害（ＲＬＦ）の影響を最小化するための技術も規定する。ＲＬＦの間、無線デバイスは、接続されたセルへの接続を一時的に失う可能性がある。無線デバイスがサイドリンクのモード１の動作を用いて設定されていると、ＲＬＦの間はｅＮＢから新規のサイドリンク認可を受信することができないので、これは特に好ましくないことがある。したがって、ＴＳ  ３６．３１１において規定されているようなＡ３イベントの全体の持続時間にわたって、無線デバイスはサイドリンクを使用することができない可能性がある。これは、基幹アプリケーションにとって非常に望ましくないことであり得る。この問題を緩和するために、３ＧＰＰ仕様において例外プールと称され得る新規のプールが導入されている。そのようなプールは、ｅＮＢによって、ブロードキャストされたシグナリングにおいてもたらされ、無線デバイスがＲＬＦになったときＲＬＦのサイドリンクサービス不通を最小化するように使用されるべきである。このプールは、Ｔ３０１がアクティブとき、ＲＲＣの再確立ステージ中にも使用され得る。例外プールは、ＲＬＦ用途のみに限定されなくてよい。例外プールは、ハンドオーバにおいて、たとえば不通を低減するためにも使用され得る。
【００１８】
Ｖ２Ｘトラフィックの性質は、リリース１２のＰｒｏＳｅ通信において規定されるような単なる無作為選択とは別の、より正確なリソース選択方策を要求する。そのような方策の１つには、無線デバイスが、最初に媒体を感知して、送信する前にチャネルの品質を評価することを必要とされるものがある。リソース選択は、障害が少ないと判断された物理リソースを優先的に選択することによってそのような感知を考慮に入れてよい。実際に有効であるように、そのような感知プロシージャは、数百ミリ秒から数秒程度の特定の時間にわたって遂行されるべきである。そのため、不通への無視できない影響がある。そのような問題を緩和するために、リリース１４のサイドリンク設計は、通信プールが無線デバイスによって連続的に感知されることを考慮に入れる。しかしながら、例外プールを使用する場合には、連続的に感知するのが不可能なことがある。
【００１９】
例外プールが使用されるのは、たとえばＲＬＦなどの例外的な場合における不通を最小化するためのみであり、数秒もかかる感知プロシージャは基幹サービスにとって好ましくないことがある。たとえば、感知プロシージャは、Ｖ２Ｖ交通安全サービスにとって好ましくないことがある。加えて、無線デバイスが例外プールの感知を完了するまで（場合により数秒間は）、ＲＬＦイベントは既に終結しているかもしれず、ＲＬＦの利益を帳消しにする。
【発明の概要】
【００２０】
既存の解決策にまつわる前述の問題に対処するために、サイドリンク動作用のリソース感知のためのシステムおよび方法が開示される。
【００２１】
特定の実施形態によれば、無線デバイスによるリソース感知のための方法が提供される。この方法は、ネットワークノードから、第１のリソースプールに関連したリソースの指示を取得することを含む。第１のリソースプールは別のデバイスとの例外通信用である。ネットワークノードからのシグナリングに関連した起動イベントが識別される。起動イベントに基づいて、この別のデバイスとの例外通信の必要性が判定される。第１のリソースプールから少なくとも１つのリソースが選択され、第１のリソースプールから選択された少なくとも１つのリソースを使用してメッセージが送信される。
【００２２】
特定の実施形態によれば、リソース感知のための無線デバイスが提供される。無線デバイスは、非一時的コンピュータ可読媒体を備え、非一時的コンピュータ可読媒体は、命令と、処理回路とを備え、処理回路は、命令を実行して、無線デバイスが、ネットワークノードから第１のリソースプールに関連したリソースの指示を取得するように設定されている。第１のリソースプールは別のデバイスとの例外通信用である。ネットワークノードからのシグナリングに関連した起動イベントが識別される。起動イベントに基づいて、この別のデバイスとの例外通信の必要性が判定される。第１のリソースプールから少なくとも１つのリソースが選択され、第１のリソースプールから選択された少なくとも１つのリソースを使用してメッセージが送信される。
【００２３】
本開示の特定の実施形態は、１つまたは複数の技術的な利点を提供し得るものである。たとえば、特定の実施形態は、無線デバイスが無線リソースの特定の組に属する無線リソースを使用し始めるとき、感知動作による不通を解消し得る。そのような無線リソースは、ハンドオーバ、ＲＬＦ、同期の消失、または別の例外的な場合などの、例外的な場合においてのみ使用される１組のリソースを含み得る。
【００２４】
他の利点は、当業者には容易に明らかになり得る。列挙された利点を有しない、いくつか有する、またはすべて有する、特定の実施形態があり得る。
【００２５】
開示された実施形態ならびにそれらの特徴および利点のより完全な理解のために、添付図面とともに以下の説明が次に参照される。
【図面の簡単な説明】
【００２６】
【図１】Ｖ２Ｘ通信の例示のタイプの図解である。
【図２】特定の実施形態による、サイドリンク動作用のリソース感知のための例示的ネットワークの図解である。
【図３】特定の実施形態による、サイドリンク動作用のリソース感知のための別の例示的無線デバイスの図解である。
【図４】特定の実施形態による、サイドリンク動作用のリソース感知のための、無線デバイスによる例示的方法の図解である。
【図５】特定の実施形態による、サイドリンク動作用のリソース感知のための別の例示的仮想コンピュータデバイスの図解である。
【図６】特定の実施形態による、サイドリンク動作用のリソース感知のための別の例示の方法の図解である。
【図７】特定の実施形態による、サイドリンク動作用のリソース感知のための別の例示の方法の図解である。
【図８】特定の実施形態による、サイドリンク動作用のリソース感知のための別の例示の方法の図解である。
【図９】特定の実施形態による、サイドリンク動作用のリソース感知のための別の例示の方法の図解である。
【図１０】特定の実施形態による、サイドリンク動作用のリソース情報をもたらすための別の例示のネットワークノードの図解である。
【図１１】特定の実施形態による、サイドリンク動作用のリソース情報をもたらすためのネットワークノードによる例示の方法の図解である。
【図１２】特定の実施形態による、サイドリンク動作用のリソース感知のための例示の仮想コンピュータデバイスの図解である。
【図１３】特定の実施形態による、例示的な無線ネットワークコントローラまたはコアネットワークノードの図解である。
【発明を実施するための形態】
【００２７】
次に、添付図面を参照しながら、本明細書で企図された実施形態のうちのいくつかを以下でより十分に説明する。たとえば、図１〜図１３において特別な実施形態が説明されており、様々な図面の対応する部分には類似の番号が使用されている。しかしながら、他の実施形態はこの開示の範囲内に含有されており、本発明は、本明細書で明らかにされた実施形態のみに限定されるように解釈されるべきではなく、むしろ、これらの実施形態は、当業者に発明概念の範囲を示唆するために例として提供されたものである。説明の全体にわたって、類似の番号は類似の要素を指す。
【００２８】
特定の実施形態によれば、特定の無線リソースまたはリソースの組を感知する一方で、関連する感知プロシージャによる不通を最小化するための方法およびシステムが提案される。これらのシステムおよび方法は、サイドリンクを使用して移動無線ネットワークに対するＶ２Ｘ／ＩＴＳサービスを提供する状況で説明されるが、類似の特性を有する任意のトラフィック、および５Ｇ／ＮＲを含む任意の無線アクセスなど他の状況において同様に適用され得る。
【００２９】
本明細書で開示された任意の実施形態の任意の機能が、適切ならどこでも任意の他の実施形態に適用される得ることに留意されたい。同様に、任意の実施形態の任意の利点が他の実施形態に当てはまり得、逆の場合も同じである。同封の実施形態の他の目的、機能および利点が以下の説明から明白になるはずである。
【００３０】
一般に、本明細書で使用されるすべての用語は、本明細書で明示的に別様に規定されなければ、当技術分野における通常の意味に従って解釈されるべきである。「１つの（ａ）／１つの（ａｎ）／その（ｔｈｅ）要素、装置、構成要素、手段、ステップなど」に対するすべての参照は、別様に明白に明示されたのでなければ、要素、装置、構成要素、手段、ステップなどのうち少なくとも１つを参照するように、オープンに解釈されるべきである。本明細書で開示されたいかなる方法のステップも、明白に明示されたのでなければ、開示された順番通り正確に遂行する必要はない。
【００３１】
サイドリンク動作用のリソース感知の例証となる例を次に説明する。簡単にするために、例は、以下のように番号を付けられた任意選択の機能に対する参照を含むことになる。
１．特定の実施形態によれば、１組のイベントが、無線デバイスによって周囲電波環境を感知することを起動してよく、周囲電波環境は、たとえばリソースのプールなど１組の特定の物理的無線リソースでよい。無線リソースの組は、ネットワークノードによって、たとえばハンドオーバ指令など専用シグナリングで提供されてよい。他の実施形態では、無線リソースの組は、ブロードキャストするシグナリングを介して提供されてよく、または無線デバイスにおいてあらかじめ設定されてよい。そのような物理的無線リソースは、無線デバイスによって現在使用されているプールＡとは異なるプールＢに属する１組の無線リソースでよい。たとえば、特別な実施形態では、プールＢのリソースは、
・たとえばハンドオーバ、ＲＬＦ、同期外れ、カバレッジ外、または他の状態など特定の状態の下でプールＡのリソースとは異なって使用される例外リソースと、
・たとえば、より大きい参照信号受信電力（ＲＳＲＰ）、より少ない輻輳など、プールＡのリソースよりも優れた品質のために選択されるの１組のリソースと、
・特定の地理的領域（たとえば無線デバイスが現在位置する地域）において使用される１組のリソースであって、地理座標、地域アイデンティティ、または無線カバレッジによって識別され得る１組のリソースとから成り得る。
２．特定の実施形態によれば、１組のイベントが、無線デバイスによって周囲電波環境を感知することの解除を起動してよい。
３．特定の実施形態によれば、自律性の無線リソース選択プロトコルの一例を使用する無線デバイスは、リソースを選択するために少なくとも１つの感知期間を完了することを必要とされてよい。
４．特定の実施形態によれば、自律性の無線リソース選択プロトコルの別の例を使用する無線デバイスは、リソースを選択するために少なくとも１つの感知期間を完了していることを必要とされなくてよい。
５．集中型無線リソース選択プロトコルを使用する特定の実施形態によれば、第３のスケジューラノードが無線デバイスの送信を制御してよい。
６．特定の実施形態によれば、自律性のリソース選択を遂行するために、無線デバイスによって十分な感知が達成されかどうか判定するための１組の条件が与えられてよい。
【００３２】
第１の例示の実施形態では、無線デバイスは以下のステップを遂行する。
・（１）のトリガ条件のうちの１つを検知するのと同時に周囲電波環境の感知を開始するステップ。
・無線デバイスが送信を遂行するための自律性の無線リソース選択を必要としている、と判定するステップ。これは、無線デバイスの、いわゆる「例外的な場合」に関連したプロシージャに基づく、集中型リソース選択（５）から自律性のリソース選択への切換えの結果であり得る（必ずしもそうとは言えない）。たとえば、このステップは、ハンドオーバ中にネットワークへの接続が消失した場合、または単に無線デバイスがサイドリンク送信プールをプールＡからプールＢへ変更するのに応答して、ＲＬＦに関連したカウンタによって起動され得る。
・条件（６）が満たされているかどうか判定するステップ。
・条件（６）が満たされていれば、（４）に従って自律性の無線リソース選択を遂行するステップ。
・（２）における起動が満たされた場合、任意選択で感知動作を中断するステップ。
【００３３】
別の例示の実施形態では、無線デバイスが上記のステップを遂行してよい。しかしながら、条件（６）が満たされなければ、無線デバイスは、条件（６）が満たされるまで送信を回避してよい。条件（６）が遂行された後、無線デバイスは、（３）に従って自律性の無線リソース選択を遂行してよい。
【００３４】
別の例示の実施形態では、条件（６）が満たされなければ、無線デバイスは、条件（６）が満たされるまで（４）に従って自律性の無線リソース選択を遂行してよい。条件（６）が満たされると、無線デバイスは、（３）に従って自律性の無線リソース選択を遂行してよい。
【００３５】
特定の実施形態によれば、様々なイベントが、周囲電波環境を感知することを起動し得る。そのようなイベントの例は、たとえば、上位層による、無線デバイスにおけるモード１（ＮＷ／ｅＮＢ制御のスケジューリング）動作の設定を含み得る。別の例示のイベントは、モード１リソースを要求するための、ネットワークノードへのｓｉｄｅｌｉｎｋＵＥＩｎｆｏｒｍａｔｉｏｎの送信を含み得る。さらに別の例示のイベントは、無線リソースの使用を容認する、無線デバイスからの許可（たとえばＰＤＣＣＨまたはＲＲＣ上のサイドリンク許可）の受信を含み得る。もう１つの例示のイベントは、たとえば上記で論じたイベント（３）のときなどの、ネットワークノードへの測定報告を含み得る。これは、無線デバイスがハンドオーバを遂行する必要のある場合に対処することができる。さらに他のイベントの例には、無線デバイスによって検知された１つまたは複数の同期外れ指示、ＲＬＦの検知、ハンドオーバ指令に関連したシグナリングの無線デバイスにおける受信、たとえばプールＢがプールＡよりも優れたＲＳＲＰを有する場合またはプールＢがプールＡほど輻輳していない場合など、プールＡからプールＢへ送信プールの変更を起動するイベント、カバレッジ外の検知、およびＵＥ位置が含まれ得る。たとえば、無線デバイスが、プールＡに関連した地理的領域または地域からプールＢに関連した別の地理的領域または地域へ移動する場合には、イベントが起動され得る。この場合、無線デバイスが、境界から、またはプールＢに関連した地理的領域もしくは地域の中心から、特定の設定可能な距離未満に位置するとき、プールＢのリソースを感知することが開始され得る。
【００３６】
特定の実施形態によれば、そのような起動イベントは、周囲電波環境を感知することが上記のイベントの起動時にのみ遂行されるので、無線デバイスのバッテリー消費が制限されることを保証する。他の実施形態では、無線デバイスは、上記のイベントの起動を必ずしも待つことなく、専用のシグナリングまたはブロードキャストするシグナリングで、たとえば例外プールなど特定の物理リソースの存在を検知するのと同時に周囲電波環境を感知することを単純に開始してよい。
【００３７】
感知プロシージャと、感知プロシージャの持続時間、監視するためリソース、および／または他のパラメータなどの関係のあるパラメータとは、起動イベントや周囲電波環境が異なれば、異なるものになり得る。簡単にするために、以下の実施形態および例では、プールＡが通常の通信プールであってプールＢが例外プールである場合を考えてよい。しかしながら、以下の実施形態は、プールＡとプールＢの両方が、たとえば、ＲＳＲＰ、輻輳、ハンドオーバ、ＲＬＦ、同期外れ、カバレッジ外、または他の条件などに基づく異なる無線条件の下で使用される通常の通信プールである場合へと一般化され得る。
【００３８】
特定の実施形態によれば、感知プロシージャを終結するための異なるルールが構想され得る。たとえば、特別な実施形態によれば、一般に、ネットワークノードは、例外プール（すなわちプールＢ）向けに、あるいは例外送信または非通常送信もしくは通信を遂行している間に、不通を制限するために、通常の通信プール（すなわちプールＡ）および送信向けに、より短い感知期間を設定してよい。可能な感知期間値は、０秒（すなわち感知を遂行しない）から最大値まで及び得る。別の実施形態では、感知は、特定のイベントが生じるまで遂行され得る。
【００３９】
特別な実施形態では、たとえばそのような選択肢の１つにはタイマベースの感知がある。タイマベースの感知を用いると、感知することは、本明細書で論じられた特定のイベントのうち任意のものなどによって開始されてよく、設定されたタイマの期限で終結してよい。可能な感知期間値は、０秒（すなわち感知を遂行しない）から最大値まで及び得る。特別な実施形態では、イベントのうちの１つが起動されると新規の感知が遂行され得る。別の実施形態では、感知タイマが再起動され得る。
【００４０】
特定の実施形態によれば、異なるイベントについては最大値が異なり得る。たとえば、ＲＬＦの後に周囲電波環境（すなわち例外リソースプール）の感知が開始される場合、最大値は、無線デバイスがアイドル状態になるまでのＲＬＦの最大の持続時間であるＴ３１１よりも小さくなり得る。たとえば、周囲電波環境を感知することが、ハンドオーバに使用される例外プールに関係する場合には、測定報告の起動（たとえば数秒）またはハンドオーバ指令の受信の後に感知することが開始される場合には最大値が変化し得る。（たとえば、最大値は、無線デバイスが接続の再確立を開始するまでのハンドオーバプロシージャの最大の持続時間であるＴ３０４よりも小さくなり得る）。
【００４１】
別の例示の実施形態では、感知プロシージャは、本明細書で列記されたイベントのうち任意のものによって開始されてよく、次いで特定のイベントが起動された後に停止されてよい。特定の実施形態によれば、たとえば感知することを起動したイベントが測定報告であるなら、感知することは、ネットワークによってハンドオーバが承認されるまで持続してよい。無線デバイスは、ハンドオーバ指令を受信したとき、周囲電波環境が空いていると感知された場合には、感知された最も適切なリソース上で送信し始めてよい。特定の時間の範囲内でハンドオーバ指令が受信されなければ、感知された周囲電波環境を通じての送信は遂行されなくてよく、感知することは、新規のイベントが周囲電波環境の感知を起動するまで中止されてよい。特別な実施形態では、たとえば、感知することは、感知期間の全体の持続時間にわたって、または無線デバイスによって特定の量の報告が送られるまで、続いてよい。
【００４２】
もう１つの例示の実施形態では、感知することを起動したイベントが、無線デバイスによる１つまたは複数の同期外れ指示の検知であるなら、Ｎ３１０同期外れが検知されてＴ３１０が開始されると、感知された周囲電波環境を通じての送信が開始され得る。Ｔ３１０が開始されなければ、感知することが終結されてよく、感知された周囲電波環境を通じての送信は試行されなくてよい。たとえば、下位層が１つまたは複数の同期指示を受信した場合には、感知することが終結されてよい。
【００４３】
さらに別の例示の実施形態では、感知することを起動したイベントがＵＥ位置である場合には、特定の地理的領域または地域に関連したリソースプールを感知することは、無線デバイスが、特定の地理的領域または地域の内部に位置するまで、またはそのような地理的領域または地域から特定の距離の範囲内に入るまで、持続し得る。地理的領域または地域に関連する感知された周囲電波環境を通じての送信は、無線デバイスが地理的領域または地域に入るとき開始されてよく、無線デバイスが地理的領域または地域を出るとき終結される。
【００４４】
もう１つの実施形態では、無線デバイスは、周囲電波環境を感知することをスキップしてプールの内部の無線リソースの無作為選択を遂行するように設定され得る。たとえば、感知期間が０秒に設定されている場合には、無線デバイスは無線リソースの無作為選択を遂行してよい。リソース選択のために周囲電波環境を感知することは行われなくてよい。
【００４５】
別の実施形態によれば、同一のプールにおいて、たとえば無作為選択と感知することによるリソース選択との両方が容認されて、リソース選択機構が混合して存在する場合には、感知性能が損なわれる可能性がある。したがって、特別な実施形態では、無作為選択が容認されるプールと、感知することが容認されるプールとは、オーバーラップしなくてよい。別の特別な実施形態では、いくつかのリソースにおいて、無作為選択と、感知することによるリソース選択との両方が容認される場合、それらのリソースを通じて感知することの結果は、特定の値だけオフセットされてよい。たとえば、この結果は、それらのリソースが無作為選択によって時々妨げられる可能性を担うために、感知結果の割合だけオフセットされてよい。
【００４６】
もう１つの実施形態によれば、上記の起動イベントのうちの１つが生じたら、無線デバイスは、無作為選択と感知することの両方を遂行してよい。たとえば、無作為選択は、感知プロシージャが完了するまで遂行されてよい。これは、たとえば前述の感知することのタイマが満了することを意味する。感知することが完了すれば、リソース選択は、無作為にではなく、感知するプロシージャによって遂行される。したがって、この例示の実施形態では、無線デバイスは無作為選択された送信の無線リソースに基づいて送信するのと同時に、無作為選択に使用された無線リソースの組と同一または同一でない、無線リソースの特定の組において感知を遂行することが必要とされる可能性がある。
【００４７】
特定の実施形態によれば、関連する感知パラメータは、ネットワークノードによってブロードキャストされたシグナリングまたは専用シグナリングで提供される例外プール／通信プールの設定の一部分として提供され得る。
【００４８】
本明細書で説明された解決策は、任意の適切なタイプのシステムにおいて任意の適切な構成要素を使用して実施されてよいが、説明された解決策の特別な実施形態は、図２に図解された例示の無線通信ネットワーク２００などの無線通信ネットワークにおいて実施され得るものである。図２の例示の実施形態では、無線通信ネットワーク２００は、１つまたは複数の無線デバイス２１０に対して通信および他のタイプのサービスを提供する。図解された実施形態では、無線通信ネットワーク２００は、無線デバイスの、無線通信ネットワーク２００によって提供されるサービスへのアクセスおよび／またはサービスの使用を容易にするネットワークノード２１５および２１５ａの１つまたは複数の事例を含む。簡単にするために、図２は、ネットワーク２２０、ネットワークノード２１５および２１５ａ、ならびに無線デバイス２１０のみを表す。しかしながら、無線通信ネットワーク２００が任意数のネットワーク、ネットワークノード、および無線デバイスを含み得ることが認識される。加えて、無線通信ネットワーク２００は、各無線デバイス２１０の間の通信、または無線デバイス２１０と地上通信線電話など別の通信デバイスの間の通信をサポートするのに適切な任意の追加要素を含み得る。
【００４９】
ネットワーク２２０は、１つまたは複数のＩＰネットワーク、公衆スイッチ電話ネットワーク（ＰＳＴＮ）、パケットデータネットワーク、光学ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、都市内ネットワーク、およびデバイス間の通信を可能にするための他のネットワークを備え得る。特定の実施形態によれば、無線ネットワーク２００は、各無線デバイス２１０の間、または無線デバイス２１０とネットワークノード２１５など別の通信デバイスの間で、無線信号を通信してよい。無線信号は、音声トラフィック、データトラフィック、制御信号、および／または任意の他の適切な情報を含有し得る。いくつかの実施形態では、ネットワークノード２１５に関連した無線信号のカバレッジ領域はセルと称され得る。いくつかの実施形態では、無線デバイス１１０はＤ２Ｄ能力を有し得る。したがって、無線デバイス２１０は、別の無線デバイス２１０との間で信号を直接送受信することができる。
【００５０】
無線通信ネットワーク２００は、任意のタイプの通信、電気通信、データ、セル、および／または無線ネットワークもしくは他のタイプのシステムを表し得る。特定の実施形態は、ロングタームエボリューション（ＬＴＥ）ネットワークにおいて実施されると説明され得るが、任意の適切なタイプの通信システムにおいて実施され得、このような通信システムは、任意の適切な通信規格をサポートし、任意の適切な構成要素を使用するものであり、無線デバイスが信号（たとえばデータ）を送受信するあらゆる無線アクセス技術（ＲＡＴ）または多重ＲＡＴシステムに適用可能である。たとえば、本明細書で説明された様々な実施形態は、ＬＴＥ、ＬＴＥ−Ａｄｖａｎｃｅｄ、ＬＴＥ−Ｕ、ユニバーサル移動体通信システム（ＵＭＴＳ）、ＨＳＰＡ、グローバル移動体通信システム（ＧＳＭ）、ｃｄｍａ２０００、ＷｉＭａｘ、Ｗｉ−Ｆｉ、別の適切な無線アクセス技術、あるいは１つまたは複数の無線アクセス技術の任意の適切な組合せに適用可能であり得る。特定の実施形態はダウンリンクにおける無線送信の状況で説明され得るが、本開示は、様々な実施形態がアップリンクにも同様に適用可能であることを企図するものであり、逆の場合も同じである。
【００５１】
特別な実施形態では、無線通信ネットワーク２００は、特定の規格または他のタイプの所定のルールもしくはプロシージャによって動作するように設定され得る。したがって、無線通信ネットワーク２００の特別な実施形態は、ＧＳＭ、ＵＭＴＳ、ＬＴＥ、および／または他の適切な２Ｇ、３Ｇ、４Ｇ、または５Ｇの規格、ＩＥＥＥ  ８０２．１１規格などの無線ローカルエリアネットワーク（ＷＬＡＮ）規格、および／またはワイマックス（ＷｉＭａｘ）、Ｂｌｕｅｔｏｏｔｈ、および／またはＺｉｇＢｅｅ規格など任意の他の適切な無線通信規格などの通信規格を実施し得る。この通信ネットワークは、Ｄ２Ｄ通信またはＰｒｏＳｅ通信もサポートし得る。
【００５２】
特定の実施形態によれば、ネットワークノード２１５は、プロセッサ２２５、記憶機構２３０、インターフェース２３５、およびアンテナ２４０ａを備える。同様に、無線デバイス２１０は、プロセッサ２４５、記憶機構２５０、インターフェース２５５、およびアンテナ２６０ａを備える。これらの構成要素は、無線通信ネットワーク２００において無線接続をもたらすことなど、ネットワークノード２１５および／または無線デバイス２１０の機能をもたらすために連携してよい。異なる実施形態では、無線通信ネットワーク２００は、任意数の有線または無線のネットワーク、ネットワークノード、基地局、コントローラ、無線デバイス、中継局、ならびに／あるいは、有線もしくは無線の接続を介したデータおよび／または信号の通信を容易にする、または同通信に関与する、任意の他の構成要素を備え得る。
【００５３】
本明細書で使用されるように、「ネットワークノード」が指す機器は、無線デバイス２１０に対する無線アクセスを可能にし、かつ／または無線アクセスを提供する、無線通信ネットワーク２００において、無線デバイス２１０および／または他の機器と、直接的または間接的に通信することができ、通信するように設定されており、通信するように構成されており、かつ／または通信するように動作可能である。ネットワークノード２１５の例は、それだけではないが、アクセスポイント（ＡＰ）、詳細には無線アクセスポイントを含む。ネットワークノードは無線基地局などの基地局（ＢＳ）を表し得る。無線基地局の特別な例はノードＢおよび発展型ノードＢ（ｅＮＢ）を含む。基地局は、提供するカバレッジの量（言い方を変えれば送信電力レベル）に基づいて分類され得て、フェムト基地局、ピコ基地局、マイクロ基地局、またはマクロ基地局とも称され得る。「ネットワークノード」は、集中型デジタルユニットおよび／またはリモート無線ヘッド（ＲＲＨ）と称されることもあるリモート無線ユニット（ＲＲＵ）など、分散型無線基地局の１つまたは複数の（あるいはすべての）部分も含む。そのようなリモート無線ユニットは、アンテナ一体型無線としてアンテナに組み込まれてよく、組み込まれなくてもよい。分散型無線基地局の部品も、分散型アンテナシステム（ＤＡＳ）におけるノードと称されることがある。特別な非限定的例として、基地局は、中継ノードまたは中継を制御する中継ドナーノードでよい。
【００５４】
ネットワークノード２１５のさらなる例には、ＭＳＲ  ＢＳなどのマルチスタンダード無線（ＭＳＲ）の無線設備、無線ネットワークコントローラ（ＲＮＣ）または基地局コントローラ（ＢＳＣ）などのネットワークコントローラ、ベーストランシーバ局（ＢＴＳ）、送信ポイント、送信ノード、マルチセル／マルチキャスト協調エンティティ（ＭＣＥ）、コアネットワークノード（たとえばＭＳＣ、ＭＭＥ）、Ｏ＆Ｍノード、ＯＳＳノード、ＳＯＮノード、測位ノード（たとえばｅ−ＳＭＬＣ）、および／またはＭＤＴが含まれる。しかしながら、より一般的には、ネットワークノード２１５は、無線デバイス２１０に対して無線通信ネットワーク２００へのアクセスを可能にし、かつ／または提供する、あるいは無線通信ネットワーク２００にアクセスした無線デバイス２１０に対していくつかのサービスを提供することができ、提供するように設定され、提供するように構成され、かつ／または提供するように動作可能な、任意の適切なデバイス（またはデバイスのグループ）を表し得る。
【００５５】
本明細書で使用されるような「無線ノード」という用語は、それぞれ上記で説明されたような無線デバイス２１０とネットワークノード２１５の両方を参照するように、総称的に使用される。
【００５６】
図２に表現されているように、ネットワークノード２１５は、プロセッサ２２５、記憶機構２３０、インターフェース２３５、およびアンテナ２４０ａを含む。これらの構成要素は、単一のより大きなボックスの内部にある単一のボックスとして表現されている。しかしながら、実際には、ネットワークノード２１５は、図解された単一の構成要素を構成する複数の異なる物理的構成要素を備え得る（たとえば、インターフェース２３５は、有線接続のために電線を結合するための端子と、無線接続のための無線トランシーバとを備え得る）。別の例として、ネットワークノード２１５は、物理的に分離した複数の異なる構成要素が相互作用してネットワークノード２１５の機能をもたらす仮想ネットワークノードでよい。たとえば、プロセッサ２２５は、３つの個別の筐体内にある３つの個別のプロセッサを備えてよく、各プロセッサが、ネットワークノード２１５の特別なインスタンス向けの異なる機能に関与する。同様に、ネットワークノード２１５は、複数の物理的に分離した構成要素（たとえばＮｏｄｅＢ構成要素、ＲＮＣ構成要素、ＢＴＳ構成要素、ＢＳＣ構成要素など）から成り得、各構成要素が、それ自体のプロセッサ、記憶機構、およびインターフェース構成要素を有する。ネットワークノード２１５が複数の分離した構成要素（たとえばＢＴＳ構成要素およびＢＳＣ構成要素）を含む特定のシナリオでは、分離した構成要素のうち１つまたは複数がいくつかのネットワークノード２１５の間で共有され得る。たとえば、単一のＲＮＣが複数のＮｏｄｅＢを制御してよい。そのようなシナリオでは、固有のＮｏｄｅＢとＢＳＣの対のそれぞれが、個別のネットワークノード２１５でよい。いくつかの実施形態では、ネットワークノード２１５は、複数の無線アクセス技術（ＲＡＴ）をサポートするように設定され得る。いくつかの実施形態では、いくつかの構成要素が２重にされてよい。たとえば、ネットワークノード２１５は、異なるＲＡＴ向けに個別の記憶機構２３０を含み得る。同様に、いくつかの実施形態では、いくつかの構成要素が再使用されてよい。たとえば、各ＲＡＴによって同一のアンテナ２４０ａが共有されてよい。
【００５７】
プロセッサ２２５は、マイクロプロセッサ、コントローラ、マイクロコントローラ、中央処理装置、デジタル信号プロセッサ、特定用途向け集積回路、フィールドプログラマブルゲートアレイ、もしくは任意の他の適切なコンピュータデバイス、リソースのうち１つまたは複数の組合せ、あるいは、単独で、または記憶機構２３０などネットワークノード２１５の他の構成要素とともに、ネットワークノード２１５の機能をもたらすように動作可能なハードウェア、ソフトウェアおよび／または符号化されたロジックの組合せでよい。たとえば、プロセッサ２２５は、記憶機構２３０に記憶された命令を実行してよい。そのような機能には、無線デバイス２１０などの無線デバイスに、本明細書で開示された機能または利点のうち任意のものを含めて、本明細書で論じられた様々な無線機能を与えることが含まれ得る。
【００５８】
記憶機構２３０は、限定することなく、持続性の記憶機構、半導体メモリ、遠隔に据え付けられた記憶装置、磁気媒体、光媒体、ランダムアクセスメモリ（ＲＡＭ）、読取り専用メモリ（ＲＯＭ）、リムーバブル媒体、または任意の他の適切なローカルもしくはリモートの記憶要素のうち任意のものを含む、任意の形態の揮発性または不揮発性のコンピュータ可読記憶装置を備え得る。記憶機構２３０は、ネットワークノード２１５によって利用される、ソフトウェアおよび符号化されたロジックを含む任意の適切な命令、データまたは情報を記憶し得る。記憶機構２３０は、プロセッサ２２５による任意の計算および／またはインターフェース２３５を介して受信した任意のデータを記憶するように使用され得る。
【００５９】
インターフェース２３５は、ネットワークノード２１５、ネットワーク２２０、および／または無線デバイス２１０との間のシグナリングおよび／またはデータの有線もしくは無線の通信において使用され得る。たとえば、インターフェース２３５は、ネットワークノード２１５が有線接続を通じてネットワーク２２０との間でデータを送受信するのを可能にするために必要とされ得る、任意のフォーマット化、符号化、または書き換えを遂行してよい。インターフェース２３５は、無線送信器および／または無線受信器も含み得、これらはアンテナ２４０ａの一部分に結合されてよく、アンテナ２４０ａの一部分でもよい。無線器は、他のネットワークノード２１５または無線デバイス２１０に送付されるデジタルデータを、無線接続を介して受信してよい。無線器は、デジタルデータを、適切なチャネルおよび帯域幅パラメータを有する無線信号に変換してよい。次いで、無線信号が、アンテナ２４０ａを介して、たとえば無線デバイス２１０などの適切な受側に送信されてよい。
【００６０】
アンテナ２４０ａは、データおよび／または信号を無線で送受信することができる任意のタイプのアンテナでよい。いくつかの実施形態では、アンテナ２４０ａは、たとえば２ＧＨｚ〜６６ＧＨｚの無線信号を送受信するように動作可能な１つまたは複数の全方向アンテナ、セクタアンテナ、またはパネルアンテナを備え得る。全方向アンテナは任意の方向の無線信号を送受信するように使用されてよく、セクタアンテナは特別な領域内のデバイスから無線信号を送受信するように使用されてよく、パネルアンテナは、比較的直線の無線信号を送受信するために使用される視線アンテナでよい。
【００６１】
本明細書で使用されるように、「無線デバイス」は、ネットワークノード２１５および／または別の無線デバイス２１０と無線で通信することができ、無線で通信するように設定され、構成され、かつ／または動作可能なデバイスを指す。無線で通信することは、電磁気信号、電波、赤外線信号、および／または空中の情報伝達に適切な他のタイプの信号を使用して、無線信号を送受信することを包含し得る。特別な実施形態では、無線デバイスは、直接的な人間との相互作用なしで情報を送受信するように設定され得る。たとえば、無線デバイスは、内部または外部のイベントによって起動されたとき、またはネットワーク２２０からの要求に応答して、所定のスケジュールに基づいてネットワーク２２０へ情報を送信するように設計され得る。
【００６２】
一般に、無線デバイス２１０は、無線通信が可能なデバイス、無線通信用に設定されたデバイス、無線通信用に構成されたデバイス、および／または無線通信するように動作可能な任意のデバイスを表し得、たとえば無線通信デバイスである。無線デバイス２１０の例は、それだけではないが、無線エンドポイント、移動ステーション、移動式電話、無線ローカルループ電話、スマートフォン、ユーザ機器、デスクトップコンピュータ、ＰＤＡ（パーソナルデジタルアシスタント）、セル式電話、タブレット、ラップトップコンピュータ、ＶｏＩＰ電話またはハンドセットを含み、ネットワークノード２１５などのネットワークノードおよび／または他の無線デバイス２１０との間で、データおよび／または信号を無線で送受信することができるものである。さらなる例は、センサ、モデム、無線カメラ、無線対応のタブレットコンピュータ、マシンタイプ通信（ＭＴＣ）デバイス／マシンツーマシン（Ｍ２Ｍ）デバイス、ラップトップコンピュータに組み込まれた機器（ＬＥＥ）、ラップトップコンピュータに搭載された機器（ＬＭＥ）、ＵＳＢドングル、無線顧客宅内機器（ＣＰＥ）、Ｄ２Ｄが可能なデバイス、または無線通信をもたらすことができる別のデバイスを含む。
【００６３】
無線デバイス２１０は、いくつかの実施形態では、ＵＥ、ステーション（ＳＴＡ）、デバイス、またはターミナルとも称され得る。また、いくつかの実施形態では、「無線ネットワークノード」（または単に「ネットワークノード」）という一般的な用語が使用される。無線デバイス２１０は、どんな種類のネットワークノードでもよく、ノードＢ、基地局（ＢＳ）、ＭＳＲ  ＢＳなどマルチスタンダード無線（ＭＳＲ）の無線ノード、ｅＮｏｄｅ  Ｂ、ネットワークコントローラ、無線ネットワークコントローラ（ＲＮＣ）、基地局コントローラ（ＢＳＣ）、中継器を制御する中継ドナーノード、ベーストランシーバ局（ＢＴＳ）、アクセスポイント（ＡＰ）、送信ポイント、送信ノード、ＲＲＵ、ＲＲＨ、分散型アンテナシステム（ＤＡＳ）におけるノード、コアネットワークノード（たとえばＭＳＣ、ＭＭＥなど）、Ｏ＆Ｍ、ＯＳＳ、ＳＯＮ、測位ノード（たとえばｅ−ＳＭＬＣ）、ＭＤＴ、または任意の適切なネットワークノードを備え得る。特別な例示の実施形態では、無線デバイス２１０は、３ＧＰＰのＧＳＭ、ＵＭＴＳ、ＬＴＥ、など第３世代パートナーシッププロジェクト（３ＧＰＰ）によって公布された１つまたは複数の通信規格および／または５Ｇ規格による通信用に設定されてよい。本明細書で使用されるように、「ユーザ機器」または「ＷＤ」には、必ずしも、関連するデバイスを所有し、かつ／または操作する人間のユーザの意味での「ユーザ」が存在するわけではない。代わりに、無線デバイス２１０は、人間のユーザに販売するように意図された、または人間のユーザによって操作されるように意図されたデバイスを表し得るが、当初は具体的な人間のユーザに関連づけられていなくてよい。
【００６４】
無線デバイス２１０は、たとえばサイドリンク通信の３ＧＰＰ規格を実施することによってデバイス対デバイス（Ｄ２Ｄ）通信をサポートしてよく、この場合Ｄ２Ｄ通信デバイスと称され得る。
【００６５】
もう１つの具体的な例として、モノのインターネット（ＩＯＴ）のシナリオでは、無線デバイス２１０は、監視および／または測定を遂行してそのような監視および／または測定の結果を別の無線デバイス２１０および／またはネットワークノード２１５に送信する、マシンまたは他のデバイスを表し得る。無線デバイス２１０は、この場合マシンツーマシン（Ｍ２Ｍ）デバイスであり、３ＧＰＰの状況ではマシンタイプ通信（ＭＴＣ）デバイスと称され得る。１つの特別な例として、無線デバイス２１０は、３ＧＰＰの狭帯域のモノのインターネット（ＮＢ−ＩｏＴ）規格を実施する無線デバイスでよい。そのようなマシンまたはデバイスの特別な例には、センサ、電力計などの計測装置、工業用機械、または、たとえば冷蔵庫、テレビ、時計など個人的なウェアラブル機器、および他のデバイスなど、家庭電化製品もしくは個人用電気器具がある。他のシナリオでは、無線デバイス２１０は、その運転状態もしくはその動作に関連した他の機能について、監視することおよび／または報告することが可能な車両または他の機器を表し得る。
【００６６】
上記で説明されたような無線デバイス２１０は無線接続のエンドポイントを表してよく、その場合には無線端末と称され得る。その上、上記で説明されたような無線デバイス２１０は可動性であり得、その場合にはモバイルデバイスまたはモバイル端末と称され得る。
【００６７】
特定の実施形態によれば、無線デバイス２１０は、図２に図解されるように、プロセッサ２４５、記憶機構２５０、インターフェース２５５、およびアンテナ２６０ａを含む。ネットワークノード２１５と同様に、無線デバイス２１０の構成要素は、単一のより大きなボックスの内部の単一のボックスとして表現されているが、実際には、無線デバイス２１０は、図解された単一の構成要素を構成する複数の異なる物理的構成要素を備え得る。たとえば、記憶機構２５０は複数の離散マイクロチップを含み得て、各マイクロチップが総記憶容量の一部分を表し得る。
【００６８】
プロセッサ２４５は、マイクロプロセッサ、コントローラ、マイクロコントローラ、中央処理装置、デジタル信号プロセッサ、特定用途向け集積回路、フィールドプログラマブルゲートアレイ、もしくは任意の他の適切なコンピュータデバイス、リソースのうち１つまたは複数の組合せ、あるいは、単独で、または記憶機構２５０など無線デバイス２１０の他の構成要素と組み合わせて、無線デバイス２１０の機能をもたらすように動作可能なハードウェア、ソフトウェアおよび／または符号化されたロジックの組合せでよい。そのような機能には、本明細書で論じられた機能または利点のうち任意のものを含めて、本明細書で開示された様々な無線機能をもたらすことが含まれ得る。
【００６９】
記憶機構２５０は、限定することなく、持続性の記憶機構、半導体メモリ、遠隔に据え付けられた記憶装置、磁気媒体、光媒体、ランダムアクセスメモリ（ＲＡＭ）、読取り専用メモリ（ＲＯＭ）、リムーバブル媒体、または任意の他の適切なローカルもしくはリモートの記憶要素のうち任意のものを含む、任意の形態の揮発性または不揮発性の記憶装置でよい。記憶機構２５０は、無線デバイス２１０によって利用される、ソフトウェアおよび符号化されたロジックを含む任意の適切なデータ、命令、または情報を記憶し得る。記憶機構２５０は、プロセッサ２４５による任意の計算および／またはインターフェース２５５を介して受信した任意のデータを記憶するように使用され得る。
【００７０】
インターフェース２５５は、無線デバイス２１０とネットワークノード２１５の間のシグナリングおよび／またはデータの無線通信に使用され得る。たとえば、インターフェース２５５は、無線デバイス２１０が無線接続を通じてネットワークノード２１５との間でデータを送受信するのを可能にするために必要とされ得る、任意のフォーマット化、符号化、または書き換えを遂行してよい。インターフェース２５５は、無線送信器および／または無線受信器も含み得、これらはアンテナ２６０ａの一部分に結合されてよく、アンテナ２６０ａの一部分でもよい。無線器は、ネットワークノード２１５に送付されるデジタルデータを、無線接続を介して受信してよい。無線器は、デジタルデータを、適切なチャネルおよび帯域幅パラメータを有する無線信号に変換してよい。次いで、無線信号は、アンテナ２６０ａを介してネットワークノード２１５へ送信されてよい。
【００７１】
アンテナ２６０ａは、データおよび／または信号を無線で送受信することができる任意のタイプのアンテナでよい。いくつかの実施形態では、アンテナ２６０ａは、２ＧＨｚ〜６６ＧＨｚの無線信号を送受信するように動作可能な１つまたは複数の全方向アンテナ、セクタアンテナ、またはパネルアンテナを備え得る。特定の代替実施形態では、無線デバイス２１０はアンテナ２６０ａを含まなくてよい。代わりに、アンテナ２６０ａは、無線デバイス２１０から分離して、インターフェースまたはポートによって無線デバイス２１０に接続可能でよい。簡単にするために、アンテナ２６０ａは、無線信号が使用されている限り、インターフェース２５５の一部分と見なされ得る。
【００７２】
特定の実施形態では、ネットワークノード２１５は無線ネットワークコントローラ（図２には表現されていない）とインターフェースをとってよい。無線ネットワークコントローラはネットワークノード２１５を制御してよく、特定の無線リソース管理機能、移動性管理機能、および／または他の適切な機能を提供し得る。特定の実施形態では、無線ネットワークコントローラの機能はネットワークノード２１５に含まれ得る。無線ネットワークコントローラはコアネットワークノードとインターフェースをとってよい。特定の実施形態では、無線ネットワークコントローラは、ネットワーク２２０などの相互結合形ネットワークを介してコアネットワークノードとインターフェースをとってよい。
【００７３】
いくつかの実施形態では、コアネットワークノードは、無線デバイス２１０に対する通信セッションおよび様々な他の機能の確立を管理し得る。無線デバイス２１０は、非アクセス階級層を使用して、コアネットワークノードと特定の信号を交換してよい。非アクセス階級のシグナリングでは、無線デバイス２１０とコアネットワークノードの間の信号は無線アクセスネットワークを透過的に通過し得る。特定の実施形態では、ネットワークノード２１５は、ノード間インターフェースを通じて１つまたは複数のネットワークノードとインターフェースをとってよい。たとえば、ネットワークノード２１５および２１５Ａは、Ｘ２インターフェースを通じてインターフェースをとってよい。
【００７４】
図３は、特定の実施形態による、サイドリンク動作用のリソース感知のための別の例示的無線デバイス３００を図解するものである。特別な実施形態では、無線デバイス３００はＵＥである。無線デバイス３００は、アンテナ３０５と、無線フロントエンド回路３１０と、処理回路３１５と、コンピュータ可読記憶媒体を含み得る記憶機構３３０とを含む。
【００７５】
アンテナ３０５は１つまたは複数のアンテナまたはアンテナアレイを含み得、無線信号を送受信するように設定されている。アンテナ３０５は無線フロントエンド回路３１０に接続されている。特定の実施形態では、無線デバイス３００はアンテナ３０５を含まなくてよい。それに加えて、またはその代わりに、アンテナ３０５は、無線デバイス３００から分離して、インターフェースまたはポートによって無線デバイス３００に接続可能でよい。
【００７６】
無線フロントエンド回路３１０は様々なフィルタおよび増幅器を含み得、アンテナ３０５および処理回路３１５に接続されており、アンテナ３０５と処理回路３１５の間で通信される信号を調整するように設定されている。特定の代替実施形態では、無線デバイス３００は無線フロントエンド回路３１０を含まなくてよい。処理回路３１５は、代わりに、無線フロントエンド回路３１０なしでアンテナ３０５に接続されてよい。
【００７７】
処理回路３１５は、無線周波数（ＲＦ）トランシーバ回路、ベースバンド処理回路、およびアプリケーション処理回路のうち１つまたは複数を含み得る。いくつかの実施形態では、ＲＦトランシーバ回路、ベースバンド処理回路、およびアプリケーション処理回路は、個別のチップセット上にあってよい。特別な実施形態では、ベースバンド処理回路およびアプリケーション処理回路の一部分またはすべてが１つのチップセットへと組み合わされてよく、ＲＦトランシーバ回路は個別のチップセット上にあってよい。さらに他の実施形態では、ＲＦトランシーバ回路およびベースバンド処理回路の一部分またはすべてが同一のチップセット上にあってよく、アプリケーション処理回路は個別のチップセット上にあってよい。さらなる他の実施形態では、ＲＦトランシーバ回路、ベースバンド処理回路、およびアプリケーション処理回路の一部分またはすべてが、同一のチップセットにおいて組み合わされてよい。処理回路３１５は、たとえば、１つまたは複数の中央処理装置（ＣＰＵ）、１つまたは複数のマイクロプロセッサ、１つまたは複数の特定用途向け集積回路（ＡＳＩＣ）、ならびに／あるいは１つまたは複数のフィールドプログラマブルゲートアレイ（ＦＰＧＡ）を含み得る。
【００７８】
特別な実施形態では、本明細書において無線デバイスがもたらすものと説明された機能のいくつかまたはすべてが、コンピュータ可読記憶媒体を含み得る記憶機構３３０に記憶された命令を実行する処理回路３１５によってもたらされ得る。特別な実施形態では、機能のうちいくつかまたはすべてが、処理回路３１５によって、配線接続のやり方などで、コンピュータ可読媒体上に記憶された命令を実行せずにもたらされ得る。それらの特別な実施形態のあらゆるものにおいて、コンピュータ可読記憶媒体に記憶された命令の実行の有無にかかわらず、処理回路は説明された機能を遂行するように設定されていると言える。そのような機能によってもたらされる利点は、単体の処理回路３１５または無線デバイス３００の他の構成要素に限定されず、一般に、全体としての無線デバイスならびに／あるいはエンドユーザおよび無線ネットワークによって享受される。
【００７９】
アンテナ３０５、無線フロントエンド回路３１０、および／または処理回路３１５は、本明細書において無線デバイスが遂行するものと説明されたあらゆる受信動作を遂行するように設定され得る。任意の情報、データおよび／または信号は、ネットワークノードおよび／または別の無線デバイスから受信され得る。
【００８０】
処理回路３１５は、本明細書において無線デバイスが遂行するものと説明されたあらゆる判定動作を遂行するように設定され得る。処理回路３１５によって遂行されたものと判定することは、処理回路３１５によって得られた情報を、たとえば他の情報に変換して、得られた情報または変換後の情報を無線デバイスに記憶された情報と比較すること、ならびに／あるいは得られた情報または変換後の情報に基づいて１つまたは複数の動作を遂行し、前記処理の結果として判定すること含み得る。
【００８１】
アンテナ３０５、無線フロントエンド回路３１０、および／または処理回路３１５は、本明細書において無線デバイスが遂行するものと説明されたあらゆる送信動作を遂行するように設定され得る。任意の情報、データおよび／または信号は、ネットワークノードおよび／または別の無線デバイスに送信され得る。
【００８２】
コンピュータ可読記憶媒体を含み得る記憶機構３３０は、一般に、コンピュータプログラム、ソフトウェアなどの命令、ロジック、ルール、コード、テーブルなどのうち１つまたは複数を含むアプリケーション、および／またはプロセッサによって実行され得る他の命令を記憶するように動作可能である。記憶機構３３０の例には、コンピュータメモリ（たとえばランダムアクセスメモリ（ＲＡＭ）または読取り専用メモリ（ＲＯＭ））、大容量記憶媒体（たとえばハードディスク）、リムーバブル記憶媒体（たとえばコンパクトディスク（ＣＤ）またはデジタルビデオディスク（ＤＶＤ））、ならびに／あるいは処理回路３１５によって使用され得る情報、データ、および／または命令を記憶する、任意の他の揮発性または不揮発性の記憶デバイス、コンピュータ可読の非一時的記憶デバイス、および／またはコンピュータ実行可能な記憶デバイスが含まれる。いくつかの実施形態では、処理回路３１５と記憶機構３３０が一体化されるように考えられてよい。
【００８３】
無線デバイス３００は、入力のインターフェース、デバイスおよび回路、ならびに出力のインターフェース、デバイスおよび回路を含み得る。入力のインターフェース、デバイスおよび回路は、無線デバイス３００への情報の入力を可能にするように設定されており、処理回路３１５に接続されて、処理回路３１５が入力情報を処理することを可能にする。たとえば、入力のインターフェース、デバイスおよび回路は、マイクロフォン、近接センサまたは他のセンサ、キー／ボタン、タッチディスプレイ、１つまたは複数のカメラ、ＵＳＢポート、または他の入力要素を含み得る。出力のインターフェース、デバイスおよび回路は、無線デバイス３００からの情報の出力を可能にするように設定されており、処理回路３１５に接続されて、処理回路３１５が無線デバイス３００からの情報を出力することを可能にする。たとえば、出力のインターフェース、デバイスまたは回路は、スピーカ、表示器、振動回路、ＵＳＢポート、ヘッドフォンインターフェース、または他の出力要素を含み得る。無線デバイス３００は、１つまたは複数の入力のインターフェース、デバイスまたは回路と、出力のインターフェース、デバイスまたは回路とを使用してエンドユーザおよび／または無線ネットワークと通信し、これらが本明細書で説明された機能から利益を得ることを可能にし得る。
【００８４】
無線デバイス３００は電源３３５を含み得る。電源３３５は電力管理回路を備え得る。電源３３５は給電系統から電力を受け取ってよく、給電系統は、電源３３５に備わっていてよく、または電源３３５の外部にあってもよい。たとえば、無線デバイス３００は、電源３３５に接続されているかまたは電源３３５に組み込まれているバッテリーまたはバッテリーパックの形態の給電系統を備え得る。光起電力デバイスなど他のタイプの電源も使用され得る。さらなる例として、無線デバイス３００は、入力回路または電気ケーブルなどのインターフェースを介して外部の給電系統（電力コンセントなど）に接続可能でよく、それによって外部の給電系統が電源３３５に電力を供給する。電源３３５は、無線フロントエンド回路３１０、処理回路３１５、および／または記憶機構３３０に接続されてよく、処理回路３１５を含む無線デバイス３００に、本明細書で説明された機能を遂行するための電力を供給するように設定され得る。
【００８５】
無線デバイス３００の代替実施形態に含まれ得る、図３に示されたもの以上のさらなる構成要素は、本明細書で説明された機能のうち任意のものおよび／または前述の解決策をサポートするのに必要なあらゆる機能を含む、無線デバイスの機能の特定の態様をもたらすことに関与し得るものである。無線デバイス３００は、処理回路３１５の複数の組、記憶機構３３０、無線回路３１０、および／または、無線デバイス３００に組み込まれた、たとえばＧＳＭ、ＷＣＤＭＡ、ＬＴＥ、ＮＲ、Ｗｉ−Ｆｉ、またはＢｌｕｅｔｏｏｔｈの無線技術などの異なる無線技術向けのアンテナ３０５も含み得る。これらの無線技術は、同一のチップセットまたは異なるチップセット、および無線デバイス３００の内部の他の構成要素に組み込まれ得る。
【００８６】
無線デバイス３００の他の実施形態に含まれ得る、図３に示されたもの以上のさらなる構成要素は、前述の機能のうちの任意のものおよび／または（前述の解決策をサポートするのに必要なあらゆる機能を含む）任意の追加機能を含めて、無線デバイスの機能の特定の態様をもたらすことに関与し得るものである。
【００８７】
図４は、特定の実施形態による、サイドリンク動作用のリソース感知のための、無線デバイスによる例示的方法４００を図解するものである。この方法は、無線デバイス３００などの無線デバイスがネットワークノードから第１のリソースプールに関連したリソースの指示を取得したとき、ステップ４０２で始まる。この指示は、様々な実施形態において、システムの情報ブロックまたは専用のシグナリングを介して取得され得る。特定の実施形態によれば、第１のリソースプールは非通常通信用である。
【００８８】
特別な実施形態によれば、無線デバイス３００は、他のデバイスとの通常通信用の第２のリソースプールに関連したリソースの指示も取得してよい。無線デバイス３００は、他のデバイスとの通常通信中に第２のリソースプールからリソースを選択してよい。特別な実施形態では、第１のリソースプールが含み得る第１の複数のリソースは、第１のリソースプールにおける第２の複数のリソースのサブセットである。
【００８９】
ステップ４０４において、無線デバイス３００は、ネットワークノードからのシグナリングに関連した起動イベントを識別する。特定の実施形態によれば、無線デバイス３００は、起動イベントを識別するのに応答して、第２のリソースプールを通常通信に使用するのを停止してよい。
【００９０】
特定の実施形態によれば、起動イベントを識別することは、通信セッションにおける変化を検知することを含み得る。特別な実施形態では、たとえば、起動イベントを識別することは、無線デバイスの制御が第２のネットワークノードにハンドオーバされるべきであると識別することを含み得る。別の例として、起動イベントは、通信の障害またはネットワークノードからのシグナリングの障害を含むことがある。さらに別の例として、特別な実施形態では、起動イベントを識別することは、第１のリソースプールが、通常通信に使用されている第２のリソースプールよりもより優れたＲＳＲＰを有すると判定することを含み得る。別の実施形態では、起動イベントを識別することは、第１のリソースプールが第２のリソースプールほど輻輳していないと判定することを含み得る。
【００９１】
ステップ４０６において、無線デバイス３００は、起動イベントに基づいて例外通信の必要性を判定する。特別な実施形態では、たとえば、無線デバイスは、無線デバイス３００の制御を第１のネットワークノードから第２のネットワークノードへハンドオーバするべきであると判定してよい。
【００９２】
ステップ４０８において、無線デバイス３００は第１のリソースプールから少なくとも１つのリソースを選択する。特別な実施形態では、無線デバイス３００は、第１のリソースプールおよび第２のリソースプールのうち少なくとも１つにおけるリソースを感知し得る。リソースの感知が完了すると、感知したことに基づいて少なくとも１つのリソースが選択され得る。しかしながら、リソースの感知が未完または不成功であると、無線デバイス３００は少なくとも第１のリソースプールからリソースを無作為に選択してよい。無線デバイス３００にとってリソースの感知を完了するのに必要な時間がないとき、感知は不完全または不成功であると見なされてよい。加えて、感知は、感知結果がリソース選択に使用され得る前に、所定の時間にわたって完了するべきである。そのため、感知は、少なくとも１秒にわたって完了しなければ、不完全または不成功と見なされてよい。
【００９３】
第１のリソースプールの感知が完了したとき、またはタイマが満了したとき、無線デバイス３００は第１のリソースプールからの無作為のリソース選択を停止してよい。第１のリソースプールのリソースの感知が完了すると、無線デバイス３００は、感知したことに基づいて、第１のリソースプールからリソースを選択し始めてよい。特別な実施形態では、たとえば、無線デバイス３００は、完了した感知に基づいて、第１のリソースプールから少なくとも第２のリソースを選択してよい。
【００９４】
特定の実施形態によれば、無線デバイス３００は、ネットワークノードからｅＮｏｄｅＢによってスケジューリングされたリソース設定メッセージを受信し、ｅＮｏｄｅＢによってスケジューリングされたリソース設定メッセージに応答して、リソースの感知を遂行してよい。特別な実施形態では、たとえば、無線デバイス３００は、モード１動作の使用を規定する設定メッセージを受信してよく、第１のリソースプールのリソースは、無線デバイス３００がモード１で動作している間に感知され得る。別の例では、無線デバイス３００は、モード３動作の使用を規定する設定メッセージを受信してよく、第１のリソースプールのリソースは、無線デバイス３００がモード３で動作している間に感知され得る。
【００９５】
ステップ４１０において、無線デバイスは、第１のリソースプールから選択された少なくとも１つのリソースを使用してメッセージを送信する。
【００９６】
特定の実施形態では、上記で説明されたような、サイドリンク動作用のリソース感知のための方法は、仮想コンピュータデバイスによって遂行され得る。図５は、特定の実施形態による、サイドリンク動作用のリソース感知のための例示の仮想コンピュータデバイス５００を図解するものである。特定の実施形態では、仮想コンピュータデバイス５００は、図４に図解されて説明された方法に関して上記で説明されたものに類似のステップを遂行するためのモジュールを含み得る。たとえば、仮想コンピュータデバイス５００は、取得モジュール５１０、識別モジュール５２０、判定モジュール５３０、選択モジュール５４０、送信モジュール５５０、およびサイドリンク動作のためのリソース感知に適切な任意の他のモジュールを含み得る。いくつかの実施形態では、モジュールのうち１つまたは複数は、図３の処理回路３１５を使用して実施され得る。特定の実施形態では、様々なモジュールのうち２つ以上のものの機能が単一のモジュールへと組み合わされてよい。
【００９７】
取得モジュール５１０は、仮想コンピュータデバイス５００の取得機能を遂行してよい。たとえば、特別な実施形態では、取得モジュール５１０は、ネットワークノードから、第１のリソースプールに関連したリソースの指示を取得してよい。特定の実施形態によれば、第１のリソースプールは例外通信用でよい。
【００９８】
識別モジュール５２０は、仮想コンピュータデバイス５００の識別機能を遂行してよい。たとえば、特別な実施形態では、識別モジュール５２０は、ネットワークノードからのシグナリングに関連した起動イベントを識別してよい。特別な実施形態では、識別モジュール５２０は、無線デバイス３００の制御が第１のネットワークノードから第２のネットワークへハンドオーバされることを識別してよい。
【００９９】
判定モジュール５３０は、仮想コンピュータデバイス５００の判定機能を遂行してよい。たとえば、特別な実施形態では、判定モジュール５３０は、起動イベントに基づいて例外通信の必要性を判定してよい。
【０１００】
選択モジュール５４０は、仮想コンピュータデバイス５００の選択機能を遂行してよい。たとえば、特別な実施形態では、選択モジュール５４０は第１のリソースプールからリソースを選択してよい。特別な実施形態では、選択モジュール５４０は、第１のリソースプールのリソースまたは他の追加のリソースの感知が遂行されている間に、第１のリソースプールから無作為にリソースを選択してよい。
【０１０１】
送信モジュール５５０は、仮想コンピュータデバイス５００の送信機能を遂行してよい。たとえば、特別な実施形態では、送信モジュール５５０は、第１のリソースプールから選択されたリソースを使用してメッセージを送信してよい。
【０１０２】
仮想コンピュータデバイス５００の他の実施形態に含まれ得る、図５に示されたもの以上のさらなる構成要素は、前述の機能のうちの任意のものおよび／または（前述の解決策をサポートするのに必要なあらゆる機能を含む）任意の追加機能を含めて、無線デバイスの機能の特定の態様をもたらすことに関与し得るものである。様々な異なるタイプの無線デバイスが含み得る構成要素は、同一の物理的ハードウェアを有するが、（たとえばプログラミングによって）異なる無線アクセス技術をサポートするように設定されてよく、または部分的もしくは完全に異なる物理的構成要素を表し得る。
【０１０３】
図６は、特定の実施形態による、サイドリンク動作用のリソース感知のための別の例示の方法を図解するものである。例示の実施形態では、周囲電波環境は、例外的な場合において使用される１組の例外リソースに対応すると考えられてよい。たとえば、例外リソースは、ＲＬＦ、ハンドオーバまたは同期参照（たとえばＧＰＳ、ＵＥ、ｅＮＢ）に対する同期の消失の場合に使用され得る。
【０１０４】
図６に図解されているようなプロシージャは、無線デバイス３００がＳＩＢまたは専用シグナリングを介して例外プール／通信プールを取得するとき、ステップ６００において始まる。ステップ６０２において、無線デバイス３００は通信プールと例外プールの両方の感知を開始する。ステップ６０４において、無線デバイス３００は、ＲＬＦまたはハンドオーバなどの例外イベントが生じているかどうか判定する。イベントが生じていなければ、無線デバイス３００は、ステップ６０６において通信プールからリソースを選択する。反対に、イベントが生じた場合には、無線デバイス３００は、以前に遂行された感知が成功していれば感知に応じて例外プールからリソースを選択する。そうでなければ、無線デバイス３００は感知することを続けるか、または無作為選択を遂行する。
【０１０５】
したがって、例示の実施形態では、無線デバイス３００は例外プール（すなわちプールＢ）の感知を遂行する必要があり、場合により正規の通信プール（すなわちプールＡ）の感知を遂行する必要もある。ＲＬＦまたはハンドオーバなど例外イベントの場合には、無線デバイス３００は、さらなる感知プロシージャなしで、例外プールから最も適切なリソースを選択することができる。
【０１０６】
図７は、特定の実施形態による、サイドリンク動作用のリソース感知のための別の例示の方法を図解するものである。この例示の実施形態でも、周囲電波環境は、例外的な場合において使用される１組の例外リソースに対応すると考えられてよい。たとえば、例外リソースは、ＲＬＦ、ハンドオーバまたは同期参照（たとえばＧＰＳ、ＵＥ、ｅＮＢ）に対する同期の消失の場合に使用され得る。
【０１０７】
図７に図解されているようなプロシージャは、無線デバイス３００がＳＩＢまたは専用シグナリングを介して例外プール／通信プールを取得するとき、ステップ７００において始まる。ステップ７０２において、無線デバイス３００は、無線デバイスがネットワークノードからモード１の感知許可を受信しているかどうか判定する。無線デバイスがモード１の感知用に設定されていなければ、この方法はステップ７０４へ続き、例外プールにおける感知は遂行されない。しかしながら、無線デバイス３００が、モード１の感知用に設定されていれば、ステップ７０６で例外プールにおける感知を開始する。ステップ７０８において、無線デバイス３００は、ＲＬＦまたはハンドオーバなどの例外イベントが生じているかどうか判定する。例外イベントが生じていなければ、無線デバイス３００は、ステップ７１０においてネットワークノードによって受信されたモード１の許可に従ってリソースを選択する。反対に、例外イベントが生じた場合には、無線デバイス３００は、以前に遂行された感知が成功していれば感知に応じて例外プールからリソースを選択する。そうでなければ、無線デバイス３００は感知することを続けるか、または無作為選択を遂行する。
【０１０８】
したがって、この例示の実施形態では、無線デバイス３００が上位層によってモード１の動作に設定されているとき、感知されるのは例外プールのみである。特別な実施形態では、たとえば、無線デバイス３００は、モード１のリソースを要求するためにネットワークノードへのｓｉｄｅｌｉｎｋＵＥＩｎｆｏｒｍａｔｉｏｎの送信を開始するのと同時に、例外プールの感知を開始してよい。別の実施形態では、無線デバイスは、モード１のサイドリンク許可を受信するのと同時に例外プールの感知を開始してよい。
【０１０９】
図８は、特定の実施形態による、サイドリンク動作用のリソース感知のための別の例示の方法を図解するものである。この例示の実施形態でも、周囲電波環境は、例外的な場合において使用される１組の例外リソースに対応すると考えられてよい。たとえば、例外リソースは、ＲＬＦ、ハンドオーバまたは同期参照（たとえばＧＰＳ、ＵＥ、ｅＮＢ）に対する同期の消失の場合に使用され得る。
【０１１０】
図８に図解されているようなプロシージャは、無線デバイス３００がＳＩＢまたは専用シグナリングを介して例外プール／通信プールを取得するとき、ステップ８００において始まる。ステップ８０２において、無線デバイス３００は、ＲＬＦまたはハンドオーバなどの例外イベントが生じているかどうか判定する。例外イベントが生じていなければ、無線デバイス３００はステップ８０４において通信プールからリソースを選択する。反対に、例外イベントが生じていれば、無線デバイス３００はステップ８０６で例外プールにおける感知を開始する。ステップ８０８において、感知が成功したかどうか判定される。感知が不成功であれば、無線デバイス３００は、ステップ８１０において、感知を中止するかまたは無作為選択を遂行する。しかしながら、感知が成功であれば、無線デバイス３００は、以前に遂行された感知に応じて例外プールからリソースを選択する。
【０１１１】
したがって、この実施形態によれば、例外プールが感知されるのは、ＲＬＦまたはハンドオーバが宣言されているなど特定のイベントのときのみであり、感知することは特定の設定された時間にわたって持続するべきである。ハンドオーバの場合には、たとえば、感知される例外プールは、ハンドオーバ指令を介して専用シグナリングによって与えられ得る。この例の変形形態では、無線デバイス３００は、特定の無線リソースの同一の組または別の組に対する感知を遂行しながら、無作為選択されたリソース上で送信を遂行してよい。タイマの満了時など、感知が完了したとき、リソースは、無作為にではなく完了した感知プロシージャに応じて選択される。
【０１１２】
図９は、特定の実施形態による、サイドリンク動作用のリソース感知のための別の例示の方法を図解するものである。この例示の実施形態でも、周囲電波環境は、例外的な場合において使用される１組の例外リソースに対応すると考えられてよい。たとえば、例外リソースは、ＲＬＦ、ハンドオーバまたは同期参照（たとえばＧＰＳ、ＵＥ、ｅＮＢ）に対する同期の消失の場合に使用され得る。
【０１１３】
図９に図解されているようなプロシージャは、無線デバイス３００がＳＩＢまたは専用シグナリングを介して例外プール／通信プールを取得するとき、ステップ９００において始まる。ステップ９０２において、無線デバイス３００は、無線デバイスがネットワークノードからモード１の感知許可を受信しているかどうか判定する。無線デバイス３００がモード１の感知用に設定されていなければ、この方法はステップ９０４へ続き、例外プールにおける感知は遂行されない。しかしながら、無線デバイス３００がモード１の感知用に設定されていれば、無線デバイス３００は、ステップ９０６において、測定イベントが起動されているかどうか判定する。測定イベントが起動されていなければ、この方法はステップ９０４へ戻り、例外プールにおける感知は遂行されない。反対に、測定イベントが起動されていれば、この方法はステップ９０８へ続き、無線デバイス３００は例外プールにおける感知を開始する。ステップ９１０において、無線デバイス３００は、タイマの満了までにハンドオーバ指令が受信されているかどうか、感知が成功かどうか、判定する。判定結果が「否」であれば、無線デバイス３００は、ステップ９１２において例外プールの感知を停止する。反対に、ハンドオーバ指令が受信されていて、感知が成功であれば、無線デバイス３００は、以前に遂行された感知に応じて例外プールからリソースを選択するか、または無作為選択を遂行する。
【０１１４】
したがって、この実施形態によれば、無線デバイス３００はイベントの起動と同時に例外プールの感知を開始し、感知することは別のイベントが起動されるまで持続する。図９において、感知することは、測定報告によって起動され、ハンドオーバ指令を受信したとき停止される。ハンドオーバ指令が受信されなければ、感知することは、新規のイベントが起動されるまで中止される。
【０１１５】
図１０は、特定の実施形態による、サイドリンク動作用のリソース感知のための別の例示のネットワークノード１０００を図解するものである。上記で説明されたように、ネットワークノード１０００は、任意のタイプの無線ネットワークノードあるいは無線デバイスおよび／または別のネットワークノードと通信する任意のネットワークノードでよい。ネットワークノード１０００の例には、ネットワークノード２１５に関して上記で提供されたものが含まれ得る。
【０１１６】
ネットワークノード１０００は、ネットワークの全体にわたって、同質の配備、異種混合の配備、または混合の配備として配備されてよい。同質の配備は、一般に、同一の（または類似の）タイプのネットワークノード１０００ならびに／あるいは類似のカバレッジおよびセルサイズおよび所在地間距離で構成された配備を記述し得る。異種混合の配備は、一般に、異なるセルサイズ、送信電力、容量、および所在地間距離を有する様々なタイプのネットワークノード１０００を使用する配備を記述し得る。たとえば、異種混合の配備は、マクロセルレイアウトの全体にわたって置かれた複数の低電力ノードを含み得る。混合の配備は、同質の部分と異種混合の部分の混合を含み得る。
【０１１７】
ネットワークノード１０００は、トランシーバ１０１０、処理回路１０２０、記憶装置１０３０、およびネットワークインターフェース１０４０のうち１つまたは複数を含み得る。いくつかの実施形態では、トランシーバ１０１０は、無線デバイス１０１０との間の（たとえばアンテナを介した）無線信号の送受信を容易にし、処理回路１０２０は、ネットワークノードによってもたらされると上記で説明された機能のいくつかまたはすべてをもたらす命令を実行し、記憶装置１０３０は、プロセッサ１０２０によって実行される命令を記憶し、ネットワークインターフェース１０４０は、ゲートウェイ、スイッチ、ルータ、インターネット、公衆スイッチ電話ネットワーク（ＰＳＴＮ）、コアネットワークノード、または無線ネットワークコントローラなどのバックエンドネットワーク要素と信号を通信する。
【０１１８】
特定の実施形態では、ネットワークノード１０００は、多重アンテナ技術を使用できてよく、複数のアンテナを装備してＭＩＭＯ技術をサポートすることができてよい。１つまたは複数のアンテナが、制御可能な偏波を有し得る。言い換えれば、各要素が、異なる偏波（たとえば直交偏波のような９０度の分離）を有する２つの共同設置されたサブ要素を有し得、その結果、ビーム形成における重み付けの異なる組が、放射される波動に、異なる偏波を与えることになる。
【０１１９】
処理回路１０２０は、命令を実行し、データを操作して、ネットワークノード１０００の説明された機能のうちいくつかまたはすべてを遂行するように、１つまたは複数のモジュールで実施された、ハードウェアとソフトウェアの任意の適切な組合せを含み得る。いくつかの実施形態では、処理回路１０２０は、たとえば、１つまたは複数のコンピュータ、１つまたは複数の中央処理装置（ＣＰＵ）、１つまたは複数のマイクロプロセッサ、１つまたは複数のアプリケーション、および／または他のロジックを含み得る。
【０１２０】
記憶装置１０３０は、一般に、コンピュータプログラム、ソフトウェアなどの命令、ロジック、ルール、アルゴリズム、コード、テーブルなどのうち１つまたは複数を含むアプリケーション、および／またはプロセッサによって実行され得る他の命令を記憶するように動作可能である。記憶装置１０３０の例には、コンピュータメモリ（たとえばランダムアクセスメモリ（ＲＡＭ）または読取り専用メモリ（ＲＯＭ））、大容量記憶媒体（たとえばハードディスク）、リムーバブル記憶媒体（たとえばコンパクトディスク（ＣＤ）またはデジタルビデオディスク（ＤＶＤ））、ならびに／あるいは、情報を記憶する、任意の他の揮発性または不揮発性の記憶デバイス、コンピュータ可読の非一時的記憶デバイス、および／またはコンピュータ実行可能な記憶デバイスが含まれる。
【０１２１】
いくつかの実施形態では、ネットワークインターフェース１０４０は、プロセッサ１０２０に対して通信可能に結合されており、ネットワークノード１０００の入力を受信するように動作可能な任意の適切なデバイスを指してよく、ネットワークノード１０００から出力を送り、入力または出力または両方の適切な処理を遂行し、他のデバイスと通信し、あるいは前出のことの任意の組合せが可能である。ネットワークインターフェース１０４０は、ネットワークによって通信するためのプロトコル変換およびデータ処理の能力を含む、適切なハードウェア（たとえばポート、モデム、ネットワークインターフェースカードなど）およびソフトウェアを含み得る。
【０１２２】
ネットワークノード１０００の他の実施形態は、図１０に示されたもの以上に、前述の機能のうち任意のものおよび／または任意の追加機能を含む（本明細書で説明された解決策をサポートするのに必要なあらゆる機能を含む）無線ネットワークノードの機能の特定の態様をもたらすことに関与するさらなる構成要素を含み得る。様々な異なるタイプのネットワークノードが含み得る構成要素は、同一の物理的ハードウェアを有するが、（たとえばプログラミングによって）異なる無線アクセス技術をサポートするように設定されてよく、または部分的もしくは完全に異なる物理的構成要素を表し得る。加えて、「第１の」および「第２の」という用語は例示のためにのみ与えられ、交換可能である。
【０１２３】
図１１は、特定の実施形態による、サイドリンク動作用のリソース感知のためのリソースをもたらすためのネットワークノード２１５、１０００による例示の方法１１００を図解するものである。この方法は、ネットワークノードが無線デバイスへ第１のリソースプールに関連したリソースの指示を送信するとき、ステップ１１０２で始まる。第１のリソースプールは、すべての利用可能なリソースのサブセットを含み、非通常通信用である。特別な実施形態では、第１のリソースプールは例外リソースプールである。特別な実施形態では、第１のリソースプールに関連したリソースの指示は、システム情報ブロックまたは専用シグナリングを介して送信されてよい。
【０１２４】
特別な実施形態では、ネットワークノードは、上記の指示に加えて、またはその代わりに、モード１の動作の使用を規定する設定メッセージを無線デバイスに送信してよい。特定の実施形態によれば、第１のリソースプールのリソースは、モード１で動作中の無線デバイスによって感知され得る。
【０１２５】
ステップ１１０４において、ネットワークノードは、第１のリソースプールから選択されたリソースを使用して無線デバイスからメッセージを受信する。メッセージは、非通常通信に関連した通信セッションにおける変化に応答して無線デバイスによって検知されたとき受信され得る。特別な実施形態では、たとえば、通信セッションにおける変化は、通信セッションの障害を含み得る。別の例示の実施形態では、通信セッションにおける変化は、通信セッションの第２のネットワークノードへのハンドオーバを含み得る。
【０１２６】
特定の実施形態では、上記で説明されたような、サイドリンク動作用のリソース感知のためのリソースをもたらすための方法は、仮想コンピュータデバイスによって遂行され得る。図１２は、特定の実施形態による、サイドリンク動作用のリソース感知のためのリソースをもたらすための例示の仮想コンピュータデバイス１２００を図解するものである。特定の実施形態では、仮想コンピュータデバイス１２００は、図１１に図解されて説明された方法に関して上記で説明されたものに類似のステップを遂行するためのモジュールを含み得る。たとえば、仮想コンピュータデバイス１２００は、送信モジュール１２１０、受信モジュール１２２０、およびリソース感知のためのリソースをもたらすのに適切な任意の他のモジュールを含み得る。いくつかの実施形態では、モジュールのうち１つまたは複数は、図１０の処理回路１０２０を使用して実施され得る。特定の実施形態では、様々なモジュールのうち２つ以上のものの機能が単一のモジュールへと組み合わされてよい。
【０１２７】
送信モジュール１２１０は、仮想コンピュータデバイス１２００の送信機能を遂行してよい。たとえば、特別な実施形態では、送信モジュール１２１０は、無線デバイスへ第１のリソースプールに関連したリソースの指示を送信してよい。第１のリソースプールは、すべての利用可能なリソースのサブセットを含み、非通常通信用である。特別な実施形態では、第１のリソースプールは例外リソースプールである。
【０１２８】
受信モジュール１２２０は、仮想コンピュータデバイス１２００の受信機能を遂行してよい。たとえば、特別な実施形態では、受信モジュール１２２０は、第１のリソースプールから選択されたリソースを使用して無線デバイスからメッセージを受信してよい。メッセージは、非通常通信に関連した通信セッションにおける変化に応答して受信される。
【０１２９】
仮想コンピュータデバイス１２００の他の実施形態に含まれ得る、図１２に示されたもの以上のさらなる構成要素は、前述の機能のうちの任意のものおよび／または（前述の解決策をサポートするのに必要なあらゆる機能を含む）任意の追加機能を含めて、ネットワークノードの機能の特定の態様をもたらすことに関与し得るものである。様々な異なるタイプのネットワークノードが含み得る構成要素は、同一の物理的ハードウェアを有するが、（たとえばプログラミングによって）異なる無線アクセス技術をサポートするように設定されてよく、または部分的もしくは完全に異なる物理的構成要素を表し得る。
【０１３０】
図１３は、特定の実施形態による、例示的な無線ネットワークコントローラまたはコアネットワークノードを図解するものである。ネットワークノードの例には、移動交換センタ（ＭＳＣ）、サービングＧＰＲＳサポートノード（ＳＧＳＮ）、移動性管理エンティティ（ＭＭＥ）、無線ネットワークコントローラ（ＲＮＣ）、基地局コントローラ（ＢＳＣ）などが含まれ得る。無線ネットワークコントローラまたはコアネットワークノード１３００は、処理回路１３２０、記憶装置１３３０、およびネットワークインターフェース１３４０を含む。いくつかの実施形態では、処理回路１３２０は、ネットワークノードによってもたらされるものと上記で説明された機能のいくつかまたはすべてをもたらす命令を実行し、記憶装置１３３０は、処理回路１３２０によって実行される命令を記憶し、ネットワークインターフェース１３４０は、ゲートウェイ、スイッチ、ルータ、インターネット、公衆スイッチ電話ネットワーク（ＰＳＴＮ）、ネットワークノード１１５、無線ネットワークコントローラまたはコアネットワークノード１３００などの任意の適切なノードと信号を通信する。
【０１３１】
処理回路１３２０は、命令を実行し、データを操作して、無線ネットワークコントローラまたはコアネットワークノード１３００の説明された機能のうちいくつかまたはすべてを遂行するように、１つまたは複数のモジュールで実施された、ハードウェアとソフトウェアの任意の適切な組合せを含み得る。いくつかの実施形態では、処理回路１３２０は、たとえば、１つまたは複数のコンピュータ、１つまたは複数の中央処理装置（ＣＰＵ）、１つまたは複数のマイクロプロセッサ、１つまたは複数のアプリケーション、および／または他のロジックを含み得る。
【０１３２】
記憶装置１３３０は、一般に、コンピュータプログラム、ソフトウェアなどの命令、ロジック、ルール、アルゴリズム、コード、テーブルなどのうち１つまたは複数を含むアプリケーション、および／またはプロセッサによって実行され得る他の命令を記憶するように動作可能である。記憶装置１３３０の例には、コンピュータメモリ（たとえばランダムアクセスメモリ（ＲＡＭ）または読取り専用メモリ（ＲＯＭ））、大容量記憶媒体（たとえばハードディスク）、リムーバブル記憶媒体（たとえばコンパクトディスク（ＣＤ）またはデジタルビデオディスク（ＤＶＤ））、ならびに／あるいは、情報を記憶する、任意の他の揮発性または不揮発性の記憶デバイス、コンピュータ可読の非一時的記憶デバイス、および／またはコンピュータ実行可能な記憶デバイスが含まれる。
【０１３３】
いくつかの実施形態では、ネットワークインターフェース１３４０は、処理回路１３２０に対して通信可能に結合されており、ネットワークノードの入力を受信するように動作可能な任意の適切なデバイスを指してよく、ネットワークノードから出力を送り、入力または出力または両方の適切な処理を遂行し、他のデバイスと通信し、あるいは前出のことの任意の組合せが可能である。ネットワークインターフェース１３４０は、ネットワークによって通信するためのプロトコル変換およびデータ処理の能力を含む、適切なハードウェア（たとえばポート、モデム、ネットワークインターフェースカードなど）およびソフトウェアを含み得る。
【０１３４】
ネットワークノードの他の実施形態に含まれ得る、図１３に示されたもの以上のさらなる構成要素は、前述の機能のうちの任意のものおよび／または（前述の解決策をサポートするのに必要なあらゆる機能を含む）任意の追加機能を含めて、ネットワークノードの機能の特定の態様をもたらすことに関与し得るものである。
【０１３５】
特定の実施形態によれば、無線デバイスによる、リソース感知のための方法が提供される。この方法は、ネットワークノードから、第１のリソースプールに関連したリソースの指示を取得することを含む。第１のリソースプールは別のデバイスとの例外通信用である。ネットワークノードからのシグナリングに関連した起動イベントが識別される。起動イベントに基づいて、この別のデバイスとの例外通信の必要性が判定される。第１のリソースプールから少なくとも１つのリソースが選択され、第１のリソースプールから選択された少なくとも１つのリソースを使用してメッセージが送信される。
【０１３６】
特定の実施形態によれば、リソース感知のための無線デバイスが提供される。無線デバイスが含む非一時的コンピュータ可読媒体が備える命令と、命令を実行するように設定された処理回路とにより、無線デバイスが、ネットワークノードから第１のリソースプールに関連したリソースの指示を取得する。第１のリソースプールは別のデバイスとの例外通信用である。ネットワークノードからのシグナリングに関連した起動イベントが識別される。起動イベントに基づいて、この別のデバイスとの例外通信の必要性が判定される。第１のリソースプールから少なくとも１つのリソースが選択され、第１のリソースプールから選択された少なくとも１つのリソースを使用してメッセージが送信される。
【０１３７】
特定の実施形態によれば、無線デバイスはリソース感知用に設定されている。無線デバイスは、ネットワークノードとの通信セッションを確立するように設定されたインターフェース回路を含む。インターフェース回路は、ネットワークノードから、第１のリソースプールに関連したリソースの指示を取得するようにさらに設定されている。第１のリソースプールは、すべての利用可能なリソースのサブセットを含み、非通常通信用である。無線デバイスは、通信セッションにおける変化を判定するように設定された処理回路をさらに含む。この変化は、非通常通信の必要性を指示するものである。処理回路は、第１のリソースプールからリソースを選択するようにさらに設定されており、インターフェース回路は、第１のリソースプールから選択されたリソースを使用してメッセージを送信するようにさらに設定されている。無線デバイスは、前記無線デバイスに電力を供給するように設定された給電系統回路をさらに含む。
【０１３８】
特定の実施形態によれば、ＵＥはリソース感知用に設定されている。ＵＥは、無線信号を送受信するように設定されたアンテナと、アンテナおよび処理回路に接続された無線フロントエンド回路とを含む。無線フロントエンド回路は、アンテナと処理回路の間で通信された信号を調整するように設定されている。処理回路は、ネットワークノードとの通信セッションを確立してネットワークノードから第１のリソースプールに関連したリソースの指示を取得するように設定されている。第１のリソースプールは、すべての利用可能なリソースのサブセットを含み、非通常通信用である。処理回路は、通信セッションにおける非通常通信の必要性を指示する変化を判定して第１のリソースプールからリソースを選択するように設定されている。処理回路は、第１のリソースプールから選択されたリソースを使用してメッセージを送信するように設定されている。入力インターフェースは、処理回路に接続され、ＵＥへの情報の入力を処理回路が処理することを可能にするように設定されている。出力インターフェースは、処理回路に接続され、処理回路によって処理されたＵＥからの情報を出力するように設定されている。バッテリーは、処理回路に接続され、ＵＥに電力を供給するように設定されている。
【０１３９】
特定の実施形態によれば、リソース感知用の無線デバイスは、通信モジュール、収集モジュール、判定モジュール、選択モジュール、および送信モジュールを含む。通信モジュールは、ネットワークノードとの通信セッションを確立するように設定されている。収集モジュールは、ネットワークノードから、第１のリソースプールに関連したリソースの指示を取得するように設定されている。第１のリソースプールは、すべての利用可能なリソースのサブセットを含み、非通常通信用である。判定モジュールは、通信セッションにおける、非通常通信の必要性を指示する変化を判定するように設定されている。選択モジュールは、第１のリソースプールからリソースを選択するように設定されており、送信モジュールは、第１のリソースプールから選択されたリソースを使用してメッセージを送信するように設定されている。
【０１４０】
特定の実施形態によれば、リソース感知用のシステムは、無線デバイスとの無線通信セッションを確立するように設定されたネットワークノードを含む。ネットワークノードは、第１のリソースプールに関連したリソースの指示を無線デバイスに提供するようにさらに設定されている。第１のリソースプールは、すべての利用可能なリソースのサブセットを含み、無線デバイスによって非通常通信に使用される。無線デバイスは、通信セッションにおける、非通常通信の必要性を指示する変化を判定するように設定されている。無線デバイスは、第１のリソースプールからリソースを選択し、第１のリソースプールから選択されたリソースを使用してメッセージを送信するようにさらに設定されている。
【０１４１】
本開示の特定の実施形態は、１つまたは複数の技術的な利点を提供し得るものである。たとえば、特定の実施形態は、無線デバイスが無線リソースの特定の組に属する無線リソースを使用し始めるとき、感知動作による不通を解消し得る。そのような無線リソースは、ハンドオーバ、ＲＬＦ、同期の消失、または別の例外的な場合などの、例外的な場合においてのみ使用される１組のリソースを含み得る。
【０１４２】
本明細書で説明されたいかなるステップまたは機能も、特定の実施形態の単なる例証である。すべての実施形態が、開示されたステップまたは機能のすべてを組み込まなければならないわけではなく、ステップが、本明細書で表現された、または説明された、正確な順番で遂行されなければならないわけでもない。その上、いくつかの実施形態は、本明細書で開示されたステップのうち１つまたは複数に固有のステップを含めて、本明細書における図解または説明のないステップまたは機能を含み得る。
【０１４３】
あらゆる適切なステップ、方法、または機能が、たとえば上記の図のうち１つまたは複数において図解された構成要素および機器によって実行され得るコンピュータプログラム製品によって遂行されてよい。たとえば、記憶機構２３０は、コンピュータプログラムを記憶することができるコンピュータ可読手段を備え得る。コンピュータプログラムが含み得る命令により、プロセッサ２２５（ならびにインターフェース２３５および記憶機構２３０など任意の動作可能に結合されたエンティティおよびデバイス）は、本明細書で説明された実施形態による方法を実行する。したがって、コンピュータプログラムおよび／またはコンピュータプログラム製品は、本明細書で開示された任意のステップを遂行するための手段を提供し得る。
【０１４４】
あらゆる適切なステップ、方法、または機能が、１つまたは複数の機能モジュールによって遂行され得る。各機能モジュールが、ソフトウェア、コンピュータプログラム、サブルーチン、ライブラリ、ソースコード、または、たとえばプロセッサによって実行される任意の他の形態の実行可能命令を備え得る。いくつかの実施形態では、各機能モジュールはハードウェアおよび／またはソフトウェアで実施され得る。たとえば、１つまたは複数またはすべての機能モジュールが、プロセッサ２２５および／または２４５によって、場合により記憶装置２３０および／または２５０と協働して実施され得る。したがって、プロセッサ２２５および／または２４５ならびに記憶機構２３０および／または２５０は、プロセッサ２２５および／または２４５が記憶装置２３０および／または２５０から命令を取り込み、取り込まれた命令を実行して、それぞれの機能モジュールが本明細書で開示されたあらゆるステップまたは機能を遂行することを可能にするように構成され得る。
【０１４５】
発明概念の特定の態様が、少数の実施形態を参照しながら主として説明されてきた。しかしながら、当業者には容易に認識されるように、上記で開示されたもの以外の実施形態も同様に可能であり、発明概念の範囲内である。したがって、本開示の範囲から逸脱することなく、本明細書で説明されたシステムおよび装置に対する修正、追加、または省略が可能である。システムおよび装置の構成要素は、一体化したり分離したりすることができる。その上に、システムおよび装置の動作は、より多数の構成要素、より少数の構成要素、または他の構成要素によって遂行されてよい。加えて、システムおよび装置の動作は、ソフトウェア、ハードウェア、および／または他のロジックを備える任意の適切なロジックを使用して遂行されてよい。この文献で使用されるように、「各」は、組の各部材または組のサブセット各部材を指す。
【０１４６】
同様に、いくつかの異なる組合せが論じられてきたが、すべての可能な組合せが開示されたわけではない。当業者なら、発明概念の範囲内に他の組合せが存在することを認識するであろう。その上に、当業者には理解されるように、本明細書で開示された実施形態自体が、他の規格および通信システムに適用可能であり、他の機能に関連して開示された特別な図からのいかなる機能も、任意の他の図に適用可能であり、かつ／または異なる機能と組み合わされ得る。
【０１４７】
本開示の範囲から逸脱することなく、本明細書で説明された方法に対する修正、追加、または省略が可能である。これらの方法は、より多数のステップ、より少数のステップ、または他のステップを含み得る。加えて、ステップは任意の適切な順番で遂行されてよい。
【０１４８】
前出の説明で使用された省略形は以下のものを含む。
３Ｇ  第３世代移動体通信技術
ＢＳＭ  基本的安全メッセージ
ＢＷ  帯域幅
ＣＡＭ  協調認識メッセージ
ＤＰＴＦ  データパケット送信フォーマット
Ｄ２Ｄ  デバイス対デバイス通信
ＤＥＮＭ  分散環境の通知メッセージ
ＤＳＲＣ  狭域通信
ｅＮＢ  ｅＮｏｄｅＢ
ＥＴＳＩ  欧州電気通信標準協会
ＬＴＥ  ロングタームエボリューション
ＮＷ  ネットワーク
ＲＡ  リソース割り当て
ＲＳ  参照信号
ＴＦ  トランスポートフォーマット
ＳＡＥ  自動車技術協会
ＵＥ  ユーザ機器
Ｖ２Ｉ  車両対インフラストラクチャ
Ｖ２Ｐ  車両対歩行者
Ｖ２Ｖ  車両対車両通信
Ｖ２ｘ  車両対可能なすべてのもの
ｗｒｔ  に関して
ＳＰＳ  半持続性スケジューリング
ＤＭＲＳ  復調参照信号
ＯＣＣ  直交カバーコード
ＨＯ  ハンドオーバ
ＳＩＢ  システム情報ブロック
ＲＬＦ  無線リンク障害
３ＧＰＰ  第３世代パートナーシッププロジェクト
ＲＲＣ  無線リソース制御
ＰＤＣＣＨ  物理的ダウンリンク制御チャネル
ＰＳＳ  一次同期信号
ＳＳＳ  二次同期信号
ＰｒｏＳｅ  近傍サービス
ＭＣＰＴＴ  基幹プッシュトーク
ＷＤ  無線デバイス
ＲＳＲＰ  参照信号受信電力
【図１】
2019531006.tif 000003
【図２】
2019531006.tif 000004
【図３】
2019531006.tif 000005
【図４】
2019531006.tif 000006
【図５】
2019531006.tif 000007
【図６】
2019531006.tif 000008
【図７】
2019531006.tif 000009
【図８】
2019531006.tif 000010
【図９】
2019531006.tif 000011
【図１０】
2019531006.tif 000012
【図１１】
2019531006.tif 000013
【図１２】
2019531006.tif 000014
【図１３】
2019531006.tif 000015
【国際調査報告】
2019531006.tif 000016
2019531006.tif 000017
2019531006.tif 000018
2019531006.tif 000019